(57)【要約】Ｌａｒａｇｈ Ｍｅｔｈｏｄは、高血圧症患者を評価および治療するのに有用な新規な方法である。Ｌａｒａｇｈ Ｍｅｔｈｏｄは、個々の高血圧症患者にあった処置の合理的選択のために血圧および血漿レニン値の変動を伴う血管収縮情報を利用するために、医者に系統的なアプローチを与える。Ｌａｒａｇｈ Ｍｅｔｈｏｄは、薬剤選定の系統的合理的アプローチを提供し、高血圧症患者における治療成功率を大幅に改善し、また血圧平衡化におけるレニン及びナトリウム量の因子を制御するために、２薬の使用を１薬にし、３薬の使用を２薬にするといった長期血圧制御を多数の患者に対して採りうる。Ｌａｒａｇｈ Ｍｅｔｈｏｄは、高血圧症の危機を評価し、処置すると共に、高血圧症患者からの情報を解析するのに利用できる。【特許請求の範囲】
【請求項１】
次の各段階からなり、高血圧症患者からのデータを解析する方法、
Ａ．　患者のベースラインとなる血漿レニン活動度（ＰＲＡ）レベルを記録し、
Ｂ．　前記ＰＲＡレベルが０．６５以上ならば、
ｉ．　患者が低用量のＲ薬を摂取した後、患者の血圧を測定し、
ｉｉ．　Ｂ（ｉ）の後、記録された血圧が標準範囲内に無いならば、 患者が高用量のＲ薬を摂取した後、患者の血圧を測定し、
ｉｉｉ．　Ｂ（ｉｉ）の後、記録された血圧が標準範囲内に無いならば、 患者が高用量のＲ薬と共に低用量のＶ薬を摂取した後、患者の血圧を測定し、
ｉｖ．　Ｂ（ｉｉｉ）の後、記録された血圧が標準範囲内に無いならば、 患者が高用量のＲ薬と共に高用量のＶ薬を摂取した後、患者の血圧を測定し、
ｖ．　Ｂ（ｉｖ）の後、記録された血圧が標準範囲内に無いならば、 患者の第２のＰＲＡレベルを測定し、そして、
ａ．　前記第２のＰＲＡレベルが０．６５未満ならば、Ｒ薬を第２のＶ薬に代えた後、患者の血圧を測定し、
ｂ．　前記第２のＰＲＡレベルが０．６５以上６．５未満ならば、患者が第２のＲ薬を摂取した後、患者の血圧を測定し、
ｃ．　前記第２のＰＲＡレベルが６．５以上ならば、患者がＶ薬に代えて第２のＲ薬を摂取した後、患者の血圧を測定し、
Ｃ．　患者の前記ＰＲＡレベルが０．６５未満ならば、
ｉ．　患者が低用量のＶ薬を摂取した後、患者の血圧を測定し、
ｉｉ．　Ｃ（ｉ）の後、記録された血圧が標準範囲内に無いならば、 患者が高用量のＶ薬を摂取した後、患者の血圧を測定し、
ｉｉｉ．　Ｃ（ｉｉ）の後、記録された血圧が標準範囲内に無いならば、 患者が高用量のＶ薬と共に低用量のＲ薬を摂取した後、患者の血圧を測定し、
ｉｖ．　Ｃ（ｉｉｉ）の後、記録された血圧が標準範囲内に無いならば、 患者が高用量のＶ薬と共に高用量のＲ薬を摂取した後、患者の血圧を測定し、
ｖ．　Ｃ（ｉｖ）の後、記録された血圧が標準範囲内に無いならば、 患者の第２のＰＲＡレベルを測定し、そして、
ａ．　前記第２のＰＲＡレベルが０．６５未満ならば、患者がＲ薬に代えて第２のＶ薬を摂取した後、患者の血圧を測定し、
ｂ．　前記第２のＰＲＡレベルが０．６５以上６．５未満ならば、患者が第２のＲ薬を摂取した後、患者の血圧を測定し、
ｃ．　前記第２のＰＲＡレベルが６．５以上ならば、患者がＶ薬に代えて第２のＲ薬を摂取した後、患者の血圧を測定し、
ｄ．　指示のある場合に、段階Ａ．Ｂ．　Ｃ．が行われた後、患者の血圧を記録し、それを既知の値と比較する。
【請求項２】
次の段階からなり、血漿レニン活動度レベルが０．６５以上の高血圧症患者からのデータを解析する方法、
Ａ．　患者が低用量Ｒ薬を摂取した後、患者の血圧を記録する、
Ｂ．　Ａの後、記録された血圧が、標準範囲内に無いならば、患者が高用量Ｒ薬を摂取した後、患者の血圧を記録する、
Ｃ．　Ｂの後、記録された血圧が、標準範囲内に無いならば、患者が高用量Ｒ薬に加えて、低用量Ｖ薬を摂取した後、患者の血圧を記録する、
Ｄ．　Ｃの後、記録された血圧が、標準範囲内に無いならば、患者が高用量Ｒ薬に加えて、高用量Ｖ薬を摂取した後、患者の血圧を記録する、
Ｅ．　Ｄの後、記録された血圧が、標準範囲内に無いならば、患者からの第２のＰＲＡレベルを記録する、
ｉ．　第２のＰＲＡレベルが、０．６５未満であれば、Ｒ薬に代えて、患者が第２のＶ薬を摂取した後、患者の血圧を記録する、
ｉｉ．　第２のＰＲＡレベルが、０．６５以上、６．５未満であれば、患者が第２のＲ薬を摂取した後、患者の血圧を記録する、
ｉｉｉ．　第２のＰＲＡレベルが、６．５以上であれば、患者が、Ｖ薬に代えて、第２のＲ薬を摂取した後、患者の血圧を記録する、
Ｆ．　指示がある場合に、段階Ａ、Ｂ、Ｃ、ＤおよびＥが実行された後、患者の血圧を記録し、既知の数値と比較する。
【請求項３】
次の段階からなり、血漿レニン活動度レベルが０．６５未満の高血圧症患者からのデータを解析する方法、
Ａ．　患者が低用量Ｖ薬を摂取した後、患者の血圧を記録する、
Ｂ．　Ａの後、記録された血圧が、標準範囲内に無いならば、患者が高用量Ｖ薬を摂取した後、患者の血圧を記録する、
Ｃ．　Ｂの後、記録された血圧が、標準範囲内に無いならば、患者が高用量Ｖ薬に加えて、低用量Ｒ薬を摂取した後、患者の血圧を記録する、
Ｄ．　Ｃの後、記録された血圧が、標準範囲内に無いならば、患者が高用量Ｖ薬に加えて、高用量Ｒ薬を摂取した後、患者の血圧を記録する、
Ｅ．　Ｄの後、記録された血圧が、標準範囲内に無いならば、患者からの第２のＰＲＡレベルを記録する、そして、
ｉ．　第２のＰＲＡレベルが、０．６５未満であれば、Ｒ薬に代えて、患者が第２のＶ薬を摂取した後、患者の血圧を記録する、
ｉｉ．　第２のＰＲＡレベルが、０．６５以上、６．５未満であれば、患者が第２のＲ薬を摂取した後、患者の血圧を記録する、
ｉｉｉ．　第２のＰＲＡレベルが、６．５以上であれば、患者が、Ｖ薬に代えて、第２のＲ薬を摂取した後、患者の血圧を記録する、
Ｆ．　指示がある場合に、段階Ａ、Ｂ、Ｃ、ＤおよびＥが実行された後、患者の血圧を記録し、既知の数値と比較する。
【請求項４】
次の段階からなり、患者のベースライン血漿レニン活動度レベルからのデータを解析する方法、
Ａ．　患者のベースライン血漿レニン活動度レベルを記録する、
Ｂ．　ＰＲＡレベルが０．６５未満であれば、低カリウム症のための試験結果を記録する、
ｉ．　低カリウム症のテスト結果が、低カリウム症に一致するならば、２４時間の尿アルドステロン試験の結果を記録する、
ａ．　尿アルドステロン試験が高ければ、副腎ＣＴスキャンおよび副腎静脈血採取の結果を記録し、そして副腎ＣＴスキャンおよび副腎静脈血採取検査がアルドステロン症に陽性であることを記録し、片側副腎摘出の結果を記録し、そうでなければ、Ｂ（ｉｉ）へ進む、
ｂ．　尿中アルドステロン値が高くなければ、Ｂ（ｉｉ）へ進み、
ｉｉ．　低カリウム症のテスト結果が、低カリウム症と一致し無いならば、またはＢ（ｉ）で患者をこの段階に進める場合、患者が低用量Ｖ薬を摂取した後、患者の血圧（ＢＰ）を記録する、
ｉｉｉ．　Ｂ（ｉｉ）の後、記録された血圧が、標準範囲内に無いならば、患者が高用量Ｖ薬を摂取した後、患者の血圧を記録する、
ｉｖ．　Ｂ（ｉｉｉ）の後、記録された血圧が、標準範囲内に無いならば、患者が高用量Ｖ薬に加えて、低用量Ｒ薬を摂取した後、患者の血圧を記録する、
ｖ．　Ｂ（ｉｖ）の後、記録された血圧が、標準範囲内に無いならば、患者が高用量Ｖ薬に加えて、高用量Ｒ薬を摂取した後、患者の血圧を記録する、
ｖｉ．　Ｂ（ｖ）の後、記録された血圧が、標準範囲に無いならば、前記患者から第２のＰＲＡレベルを記録し、
ａ．　第２のＰＲＡレベルが、０．６５未満であれば、患者が、Ｒ薬に代えて、第２のＶ薬を摂取した後、患者の血圧を記録する、
ｂ．　第２のＰＲＡレベルが、０．６５以上、６．５未満であれば、患者が第２のＲ薬を摂取した後、患者の血圧を記録する、
ｃ．　第２のＰＲＡレベルが、６．５以上であれば、患者が、Ｖ薬に代えて、第２のＲ薬を摂取した後、患者の血圧を記録する、そして、
Ｃ．　ＰＲＡレベルが１．６以上であれば、カプトプリルテストの結果を記録する、そして、
ｉ．　カプトリルテストの結果が陰性であれば、Ｄ（ｉ）に進む、それ以外では、腎臓静脈血採取の結果を記録する、
ｉｉ．　腎臓静脈血採取の結果が陰性であれば、Ｄ（ｉ）に進む、それ以外では、腎臓血管造影の結果を記録する、
ｉｉｉ．　腎臓血管造影の結果が陰性であれば、Ｄ（ｉ）に進む、それ以外では、腎臓血管形成術または外科的血行再建術の結果を記録する、
Ｄ．　ＰＲＡレベルが０．６５以上、１．６未満であれば、
ｉ．　患者が低用量Ｒ薬を摂取した後、患者のＢＰを記録する、
ｉｉ．　Ｄ（ｉ）の後、記録されたＢＰが、標準範囲内に無いならば、患者が高用量Ｒ薬を摂取した後、患者のＢＰを記録する、
ｉｉｉ．　Ｄ（ｉｉ）の後、記録されたＢＰが、標準範囲内に無いならば、患者が高用量Ｒ薬に加えて、低用量Ｖ薬を摂取した後、患者の血圧を記録する、
ｉｖ．　Ｄ（ｉｉｉ）の後、記録されたＢＰが、標準範囲内に無いならば、患者が高用量Ｒ薬に加えて、高用量Ｖ薬を摂取した後、患者の血圧を記録する、
ｖ．　Ｄ（ｉｖ）の後、記録されたＢＰが、標準範囲内に無いならば、患者からの第２のＰＲＡレベルを記録する、
ａ．　第２のＰＲＡレベルが、０．６５未満であれば、Ｒ薬に代えて、第２のＶ薬を患者が摂取した後、患者の血圧を記録する、
ｂ．　第２のＰＲＡレベルが、０．６５以上、６．５未満であれば、患者が第２のＲ薬を摂取した後、患者の血圧を記録する、
ｃ．　第２のＰＲＡレベルが、６．５以上であれば、患者が、Ｖ薬に代えて、第２のＲ薬を摂取した後、患者の血圧を記録する、
Ｅ．　指示がある場合に、段階Ａ、Ｂ、ＣおよびＤが実行された後、患者のＢＰを記録し、既知の数値と比較する。
【請求項５】
次の段階からなり、Ｖ薬、Ｒ薬またはＶおよびＲ薬を一緒に摂取した後、ＢＰが標準範囲内に維持されている高血圧症患者からのデータを解析する方法、
Ａ．　患者のベースライン血漿レニン活動度（ＰＲＡ）を記録する、
Ｂ．　患者がＶ薬を摂取していて、ＰＲＡレベルが０．６５未満であれば、
ｉ．　Ｖ薬が低量であったのであれば、患者が、高用量Ｖ薬を摂取した後、患者のＢＰを記録し、その他では、Ｂ（ｉｉ）に進む、
ｉｉ．　Ｂ（ｉ）の後、記録されたＢＰが、標準範囲内に無いならば、患者が、Ｖ薬に加えて、低用量Ｒ薬を摂取した後、患者のＢＰを記録する、
ｉｉｉ．　Ｂ（ｉｉ）の後、記録されたＢＰが、標準範囲内に無いならば、患者が、Ｖ薬に加えて、高用量Ｒ薬を摂取した後、患者のＢＰを記録する、
ｉｖ．　Ｂ（ｉｉｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｃ．　患者がＲ薬を摂取していて、ＰＲＡレベルが０．６５未満であれば、
ｉ．　患者が、Ｒ薬に代えて、低用量Ｖ薬を摂取した後、患者のＢＰを記録する、
ｉｉ．　Ｃ（ｉ）の後、記録されたＢＰが、標準範囲内に無いならば、患者が、Ｖ薬に加えて、低用量Ｒ薬を摂取した後、患者のＢＰを記録する、
ｉｉｉ．　Ｃ（ｉｉ）の後、記録されたＢＰが、標準範囲内に無いならば、患者が、Ｖ薬に加えて、高用量Ｒ薬を摂取した後、患者のＢＰを記録する、
ｉｖ．　Ｃ（ｉｉｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｄ．　患者がＶ薬およびＲ薬を摂取していて、ＰＲＡレベルが０．６５未満であれば、
ｉ．　患者が、Ｒ薬に代えて、第２のＶ薬を摂取した後、患者のＢＰを記録する、
ｉｉ．　Ｄ（ｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、少なくとも１つのＶ薬を高用量で摂取した後、患者のＢＰを記録する、
ｂ．　第２のＰＲＡレベルが、０．６５以上、６．５未満であれば、患者が、Ｖ薬の１つに代えて、Ｒ薬を摂取した後、患者のＢＰを記録する、そして、
ｃ．　第２のＰＲＡレベルが、６．５以上であれば、患者が、Ｖ薬に代えて、第２のＲ薬を摂取した後、患者のＢＰを記録する、
Ｅ．　患者がＶ薬を摂取していて、ＰＲＡレベルが０．６５以上、６．５未満であれば、
ｉ．　Ｖ薬が低量であったのであれば、患者が、高用量Ｖ薬を摂取した後、患者のＢＰを記録し、その他では、Ｅ（ｉｉ）に進む、
ｉｉ．　Ｅ（ｉ）の後、記録されたＢＰが、標準範囲内に無いならば、患者が、Ｖ薬に加えて、低用量Ｒ薬を摂取した後、患者のＢＰを記録する、
ｉｉｉ．　Ｅ（ｉｉ）の後、記録されたＢＰが、標準範囲内に無いならば、患者が、Ｖ薬に加えて、高用量Ｒ薬を摂取した後、患者のＢＰを記録する、
ｉｖ．　Ｅ（ｉｉｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、そして、
ｃ．　第２のＰＲＡレベルが、６．５以上であれば、患者が、Ｖ薬に代えて、第２のＲ薬を摂取した後、患者のＢＰを記録する、
Ｆ．　患者がＲ薬を摂取していて、ＰＲＡレベルが０．６５以上、６．５未満であれば、
ｉ．　Ｒ薬が低量であったのであれば、患者が、高用量Ｒ薬を摂取した後、患者のＢＰを記録し、その他では、Ｆ（ｉｉ）に進む、
ｉｉ．　Ｆ（ｉ）の後、記録されたＢＰが、標準範囲内に無いならば、患者が、高用量Ｒ薬に加えて、低用量Ｖ薬を摂取した後、患者のＢＰを記録する、
ｉｉｉ．　Ｅ（ｉｉ）の後、記録されたＢＰが、標準範囲内に無いならば、患者が、高用量Ｒ薬に加えて、高用量Ｖ薬を摂取した後、患者のＢＰを記録する、
ｉｖ．　Ｆ（ｉｉｉ）の後、記録されたＢＰが、標準範囲内に無いならば、前記患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、そして、
ｃ．　第２のＰＲＡレベルが、６．５以上であれば、患者が、Ｖ薬に代えて、第２のＲ薬を摂取した後、患者のＢＰを記録する、
Ｇ．　患者がＶ薬およびＲ薬を摂取していて、ＰＲＡレベルが０．６５以上、６．５未満であれば、
ｉ．　患者が、高用量Ｒ薬を摂取した後、患者のＢＰを記録する、
ｉｉ．　Ｇ（ｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、そして、
ｃ．　第２のＰＲＡレベルが、６．５以上であれば、患者が、Ｖ薬に代えて、第２のＲ薬を摂取した後、患者のＢＰを記録する、
Ｈ．　患者がＶ薬を摂取していて、ＰＲＡレベルが６．５以上であれば、
ｉ．　患者が、低用量Ｒ薬を摂取した後、患者のＢＰを記録する、
ｉｉ．　Ｈ（ｉ）の後、記録されたＢＰが、標準範囲内に無いならば、患者が、高用量Ｒ薬を摂取した後、患者のＢＰを記録する、
ｉｉｉ．　Ｈ（ｉｉ）の後、記録されたＢＰが、標準範囲内に無いならば、患者が、低用量Ｖ薬を摂取した後、患者のＢＰを記録する、
ｉｖ．　Ｈ（ｉｉｉ）の後、記録されたＢＰが、標準範囲内に無いならば、患者が、高用量Ｖ薬を摂取した後、患者のＢＰを記録する、
ｖ．　Ｈ（ｉｖ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、そして、
ｃ．　第２のＰＲＡレベルが、６．５以上であれば、患者が、Ｖ薬に代えて、第２のＲ薬を摂取した後、患者のＢＰを記録する、
Ｉ．　患者がＲ薬を摂取していて、ＰＲＡレベルが６．５以上であれば、
ｉ．　Ｒ薬が低量であったのであれば、患者が、高用量Ｒ薬を摂取した後、患者のＢＰを記録し、その他では、Ｉ（ｉｉ）に進む、
ｉｉ．　Ｉ（ｉ）の後、記録されたＢＰが、標準範囲内に無いならば、患者が、高用量Ｒ薬に加えて、Ｖ薬を摂取した後、患者のＢＰを記録する、
ｉｉｉ．　Ｉ（ｉｉ）の後、記録されたＢＰが、標準範囲内に無いならば、患者が、高用量Ｖ薬を摂取した後、患者のＢＰを記録する、
ｉｖ．　Ｉ（ｉｉｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、そして、
ｃ．　第２のＰＲＡレベルが、６．５以上であれば、患者が、Ｖ薬に代えて、第２のＲ薬を摂取した後、患者のＢＰを記録する、
Ｊ．　患者がＶ薬およびＲ薬を摂取していて、ＰＲＡレベルが６．５以上であれば、
ｉ．　患者が、Ｖ薬から第２のＲ薬に切り替えた後、患者のＢＰを記録する、
ｉｉ．　Ｊ（ｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、そして、
ｃ．　第２のＰＲＡレベルが、６．５以上であれば、患者が、Ｖ薬に代えて、第２のＲ薬を摂取した後、患者のＢＰを記録する、
Ｋ．　指示がある場合に、段階Ａ、Ｂ、Ｃ、Ｄ、Ｅ、Ｆ、Ｇ、Ｈ、ＩおよびＪが実行された後、患者のＢＰを記録し、既知の数値と比較する。
【請求項６】
高血圧症についてのデータを解析することに関するコンピュータプログラムであって、コンピュータが読取り可能なフォーマットを含み、該フォーマットは、患者の情報と経過を記録し、請求項１から５のいずれかの方法に合わせて解析を実行するために処理されることを特徴とするコンピュータプログラム。
【請求項７】
高血圧症についてのデータを解析することに関するインターネットウェブサイトであって、コンピュータが読取り可能な双方向フォーマットを含み、該双方向フォーマットは、患者の情報と経過を記録し、請求項１から５のいずれかの方法に合わせて解析を実行するために処理されることを特徴とするインターネットウェブサイト。
【請求項８】
次の段階からなり、約０．６５ｎｇ／ｍｌ／ｈｒ未満のＰＲＡを有する高血圧症患者からのデータの解析方法、
ａ．　患者が、低用量Ｖ薬を摂取した後、患者のＢＰを記録する；
ｂ．　段階（ａ）の後、記録されたＢＰが、標準範囲内に無いならば、患者が、増量したＶ薬を摂取した後、患者のＢＰを測定する；
ｃ．　段階（ｂ）の後、患者の記録されたＢＰが、標準範囲内に無いならば、患者が、Ｖ薬に加えて、Ｒ薬を摂取した後、患者のＢＰを記録する、
ｄ．　段階ａ、ｂおよびｃを実施した後、患者のＢＰを記録し、既知の値と比較する。
【請求項９】
段階（ｄ）の後、患者の記録されたＢＰが、標準範囲内に無いならば、患者が、Ｖ薬に加えて、用量が増加されたＲ薬を摂取した後、患者のＢＰを記録する請求項８の方法。
【請求項１０】
患者のＰＲＡレベルを記録して比較する請求項９の方法。
【請求項１１】
患者のＰＲＡが、約０．６５未満ならば、患者が、第２のＶ薬を摂取し、Ｒ薬の摂取を中止した後、患者のＢＰを記録し比較する請求項１０の方法。
【請求項１２】
患者のＰＲＡが、約０．６５から約６．５の間ならば、患者が、第２のＲ薬を摂取した後、患者のＢＰを記録し比較する請求項１０の方法。
【請求項１３】
ＰＲＡが、約６．５を超えたのであれば、患者が、第２のＲ薬を摂取し、Ｖ薬の摂取を中止した後、患者のＢＰを記録し比較する請求項１０の方法。
【請求項１４】
次の段階からなり、約０．６５ｎｇ／ｍｌ／ｈｒ以上のＰＲＡを有する高血圧症患者からのデータの解析方法、
ａ．　患者が、低用量Ｒ薬を摂取した後、患者のＢＰを記録する；
ｂ．　段階（ａ）の後、記録されたＢＰが、標準範囲内に無いならば、患者が、増加した用量のＲ薬を摂取した後、患者のＢＰを測定する；
ｃ．　段階（ｂ）の後、患者の記録されたＢＰが、標準範囲内に無いならば、患者が、Ｒ薬に加えて、Ｖ薬を摂取した後、患者のＢＰを記録する、
ｄ．　指示があれば、段階ａ、ｂおよびｃを実施した後、患者のＢＰを記録し、既知の値と比較する。
【請求項１５】
段階（ｄ）の後、患者の記録されたＢＰが、標準範囲内に無いならば、患者が、Ｒ薬に加えて、用量が増加されたＶ薬を摂取した後、患者のＢＰを記録する請求項１４の方法。
【請求項１６】
患者のＰＲＡレベルを記録して比較する請求項１５の方法。
【請求項１７】
患者のＰＲＡが、約０．６５未満ならば、患者が、第２のＶ薬を摂取し、Ｒ薬の摂取を中止した後、患者のＢＰを記録し比較する請求項１６の方法。
【請求項１８】
患者のＰＲＡが、包括的に約０．６５から約６．５の間ならば、患者が、第２のＲ薬を摂取した後、患者のＢＰを記録し比較する請求項１６の方法。
【請求項１９】
ＰＲＡが、約６．５を超えたのであれば、患者が、第２のＲ薬を摂取し、Ｖ薬の摂取を中止した後、患者のＢＰを記録し比較する請求項１６の方法。
【請求項２０】
次の各段階からなり、中から高レベルの血漿レニン活動度（ＰＲＡ）を有する高血圧症患者からのデータを解析する方法、
Ａ．　患者が、低用量でＲ薬を摂取した後、患者の血圧（ＢＰ）を記録する、
Ｂ．　Ａの後、記録されたＢＰが、標準範囲内に無いならば、患者が、用量の増加したＲ薬を摂取した後、患者のＢＰを記録する、
Ｃ．　Ｂの後、記録されたＢＰが、標準範囲内に無いならば、患者が、Ｒ薬に加えて、低用量で、Ｖ薬を摂取した後、患者のＢＰを記録する、
Ｄ．　Ｃの後、記録されたＢＰが、標準範囲内に無いならば、患者が、用量の増加したＶ薬を摂取した後、患者のＢＰを記録する、
Ｅ．　Ｄの後、記録されたＢＰが、標準範囲内に無いならば、その後、患者のＰＲＡレベルを記録し；
ｉ．ＰＲＡが低レベルならば、患者が、Ｒ薬から第２のＶ薬に切替え；
ｉｉ．ＰＲＡが中レベルならば、患者が、第２のＲ薬を摂取し；
ｉｉｉ．ＰＲＡが高レベルならば、患者が、Ｖ薬から第２のＲ薬に切り替える。
Ｆ．　指示があれば、段階Ａ、Ｂ、Ｃ、ＤおよびＥが実施された後、患者の血圧を記録し、既知の値と比較する。
【請求項２１】
次の各段階からなり、低レベルの血漿レニン活動度（ＰＲＡ）を有する高血圧症患者からのデータを解析する方法、
Ａ．　患者が、低用量でＶ薬を摂取した後、患者の血圧（ＢＰ）を記録する、
Ｂ．　Ａの後、記録されたＢＰが、標準範囲内に無いならば、患者が、用量の増加したＶ薬を摂取した後、患者のＢＰを記録する、
Ｃ．　Ｂの後、記録されたＢＰが、標準範囲内に無いならば、患者が、Ｖ薬に加えて、低用量で、Ｖ薬を摂取した後、患者のＢＰを記録する、
Ｄ．　Ｃの後、記録されたＢＰが、標準範囲内に無いならば、患者が、用量の増加したＲ薬を摂取した後、患者のＢＰを記録する、
Ｅ．　Ｄの後、記録されたＢＰが、標準範囲内に無いならば、その後、患者のＰＲＡレベルを記録し；
ｉ．ＰＲＡが低レベルならば、患者が、Ｒ薬から第２のＶ薬に切替え；
ｉｉ．ＰＲＡが中レベルならば、患者が、第２のＲ薬を摂取し；
ｉｉｉ．ＰＲＡが高レベルならば、患者が、Ｖ薬から第２のＲ薬に切り替える。
【請求項２２】
患者の血漿レニン活動度が、シーレイララテスト（Ｓｅａｌｅｙ　ａｎｄ　Ｌａｒａｇｈ　ｔｅｓｔ）により測定されることを特徴とする請求項１から６のいずれかによる高血圧症患者からのデータの解析方法。
【請求項２３】
次の各段階からなり、高血圧症を経験した患者からのデータを解析する方法、
ａ．　（ｉ）患者が、少なくとも１つの抗レニン薬を摂取した後、患者の血圧（ＢＰ）を記録し、段階ａ（ｉ）の後、患者のＢＰが、標準範囲内に無いならば、
（ｉｉ）患者が、少なくとも１つの抗ナトリウム量薬を摂取した後、患者のＢＰを記録し、
ｂ．　段階ａ（ｉ）および／またはａ（ｉｉ）の応答に基づいた解析の試験的な結果を確定する。
【請求項２４】
段階ｂの後、臨床プロファイルでの患者のベースライン血漿レニン活動度（ＰＲＡ）を記録する請求項２３の方法。
【請求項２５】
患者のベースラインＰＲＡレベルを解析した試験的な結果と結合する既知のベースラインＰＲＡレベルを比較することを含む請求項２４の方法。
【請求項２６】
臨床プロファイルが、患者のＣＢＣを含み、既知の値と記録されたすべてのデータとを比較する請求項２４の方法。
【請求項２７】
臨床プロファイルが、患者の血漿カテコールアミンプロファイルおよび電解質プロファイルを含み、既知の値と記録されたデータとを比較する請求項２６の方法。
【請求項２８】
臨床プロファイルが、患者のＥＧＧと反響心拍計を比較し、既知の値と記録されたすべてのデータとを比較する請求項２７の方法。
【請求項２９】
患者が、神経機能の定量を許容する薬を摂取した後、神経因子を定量するデータを記録し、既知の値と記録されたデータとを比較する請求項２５の方法。
【請求項３０】
薬が、フェントラミン、エスプロドールおよびラベタロール、またはそれらの結合からなる群から選ばれ、既知の値と記録されたデータとを比較する請求項２９の方法。
【請求項３１】
抗レニン薬が、カプトロールおよびエンラプリレット、またはそれらの結合である請求項２３の方法。
【請求項３２】
抗ナトリウム量薬が、フロセミドである請求項２３の方法。
【請求項３３】
神経因子が、褐色細胞種、コカイン濫用およびクロニジン禁断症状からなる群から選ばれる請求項２９に記載の方法。
【請求項３４】
患者が、特殊ではない血管拡張薬を摂取した後、患者のＢＰを記録することを含む請求項２５に記載の方法。
【請求項３５】
特殊ではない血管拡張薬が、ニカルジピン、ベラパミル、ニトロプルシド、ニトログリセリン、ヒドララジン、ダイアザオキサイド、またはこれらの結合からなる群から選ばれる請求項３４に記載の方法。
【請求項３６】
次の各段階からなり、出血段階の高血圧症を経験した患者からのデータを解析する方法、
ａ．　臨床プロファイルを、記録する；
（１）患者のベースラインＰＲＡレベル、および
（２）出血段階を呈する少なくとも１つのテストの結果
ｂ．　患者が、ベータ遮断薬を摂取した後、患者のＢＰを記録する、
ｃ．　他の患者からの既知のベースラインＰＲＡレベルと、患者のベースラインＰＲＡレベルの出血段階とを比較する。
【請求項３７】
出血段階が脳解離、大動脈解離、および鋭い心筋梗塞からなる群から選ばれる請求項３６に記載の方法。
【請求項３８】
次の段階からなり、高血圧症患者を処置する方法、
Ａ．　それぞれの患者の血漿レニン活動度（ＰＲＡ）を測定する、
Ｂ．　患者のＰＲＡが０．６５以上であれば、
ｉ．　低用量でＲ薬を処方する、
ｉｉ．　Ｂ（ｉ）の後、患者の血圧（ＢＰ）が適当に制御されないならば、Ｒ薬の用量を増加する、
ｉｉｉ．　Ｂ（ｉｉ）の後、患者の血圧（ＢＰ）が適当に制御されないならば、Ｒ薬に加えて、低用量のＶ薬を処方する、
ｉｖ．　Ｂ（ｉｉｉ）の後、患者の血圧（ＢＰ）が適当に制御されないならば、Ｖ薬の用量を増加し、ＰＲＡを測定する、
ｖ．　Ｂ（ｉｖ）の後、ＢＰが適当に制御されないならば、
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、そして、
ｃ．　ＰＲＡが６．５以上であれば、Ｖ薬を第２のＲ薬に切り替える、
Ｃ．　患者のＰＲＡレベルが０．６５未満であれば、
ｉ．　低用量でＶ薬を処方する、
ｉｉ．　Ｃ（ｉ）の後、患者の血圧（ＢＰ）が適当に制御されないならば、Ｖ薬の用量を増加する、
ｉｉｉ．　Ｃ（ｉｉ）の後、患者の血圧（ＢＰ）が適当に制御されないならば、Ｖ薬に加えて、低用量のＲ薬を処方する、
ｉｖ．　Ｃ（ｉｉｉ）の後、患者の血圧（ＢＰ）が適当に制御されないならば、Ｒ薬の用量を増加し、ＰＲＡを測定する、そして、
ｖ．　Ｃ（ｉｖ）の後、ＢＰが適当に制御されないならば、
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、
ｃ．　ＰＲＡが６．５以上であれば、Ｖ薬を第２のＲ薬に切り替える。
【請求項３９】
次の段階からなり、血漿レニン活動度（ＰＲＡ）が０．６５以上の高血圧症患者を処置する方法、
Ａ．　低用量で、Ｒ薬を処方する、
Ｂ．　Ａの後、患者の血圧（ＢＰ）が適当に制御されないならば、Ｒ薬の用量を増加する、
Ｃ．　Ｂの後、患者の血圧（ＢＰ）が適当に制御されないならば、Ｒ薬に加えて、低用量のＶ薬を処方する、
Ｄ．　Ｃの後、患者のＢＰが適当に制御されないならば、Ｖ薬の用量を増加し、ＰＲＡを測定する、
Ｅ．　Ｄの後、ＢＰが適当に制御されないならば、
ｉ．　ＰＲＡが０．６５未満であれば、Ｒ薬を第２のＶ薬に切り替える、
ｉｉ．　ＰＲＡが０．６５以上、６．５未満であれば、第２のＲ薬を処方する、
ｉｉｉ．　ＰＲＡが６．５以上であれば、Ｖ薬を第２のＲ薬に切り替える。
【請求項４０】
次の段階からなり、血漿レニン活動度（ＰＲＡ）が０．６５未満の高血圧症患者を処置する方法、
Ａ．　低用量で、Ｖ薬を処方する、
Ｂ．　Ａの後、患者の血圧（ＢＰ）が適当に制御されないならば、Ｖ薬の用量を増加する、
Ｃ．　Ｂの後、患者の血圧（ＢＰ）が適当に制御されないならば、Ｖ薬に加えて、低用量のＲ薬を処方する、
Ｄ．　Ｃの後、患者のＢＰが適当に制御されないならば、Ｒ薬の用量を増加し、ＰＲＡを測定する、
Ｅ．　Ｄの後、ＢＰが適当に制御されないならば、
ｉ．　ＰＲＡが０．６５未満であれば、Ｒ薬を第２のＶ薬に切り替える、
ｉｉ．　ＰＲＡが０．６５以上、６．５未満であれば、第２のＲ薬を処方する、
ｉｉｉ．　ＰＲＡが６．５以上であれば、Ｖ薬を第２のＲ薬に切り替える。
【請求項４１】
次の段階からなり、高血圧症患者の治療および診断治療形式の方法、
Ａ．　それぞれの患者の血漿レニン活動度（ＰＲＡ）を測定する、
Ｂ．　ＰＲＡが０．６５未満であれば、低カリウム症のための試験を処方する、
ｉ．　患者が低カリウム症であれば、２４時間の尿アルドステロン試験を処方する、
ａ．　尿アルドステロンが高ければ、副腎ＣＴスキャンおよび副腎静脈血採取を処方し、副腎ＣＴスキャンおよび副腎静脈血採取がアルドステロン症で陽性ならば、片側副腎摘出を処方し、Ｂ（ｉｉ）へ進む、
ｂ．　尿アルドステロンが高くなければ、Ｂ（ｉｉ）へ進む、
ｉｉ．　患者が低カリウム症でないか、Ｂ（ｉ）から進んでこの段階に至れば、低用量でＶ薬を処方し、ＢＰが適当に制御されなければ、血圧（ＢＰ）を記録して、Ｖ薬の用量を増加し、
ｉｉｉ．　Ｂ（ｉｉ）の後、ＢＰが適当に制御されなければ、Ｖ薬に加えて、低用量でＲ薬を処方する、
ｉｖ．　Ｂ（ｉｉｉ）の後、ＢＰが適当に制御されなければ、Ｒ薬の用量を増加し、ＰＲＡを測定する、
ｖ．　Ｂ（ｉｖ）の後、ＢＰが適当に制御されなければ
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、
ｃ．　ＰＲＡが６．５以上であれば、Ｖ薬を第２のＲ薬に切り替える、
Ｃ．　ＰＲＡが１．６以上であれば、カプトプリルテストを処方する、
ｉ．　カプトリルテストが陰性であれば、Ｄ（ｉ）に進む、それ以外では、腎臓静脈血採決を処方する、
ｉｉ．　腎臓静脈血採決が陰性であれば、Ｄ（ｉ）に進む、それ以外では、腎臓血管造影を処方する、
ｉｉｉ．　腎臓血管造影が陰性であれば、Ｄ（ｉ）に進む、それ以外では、腎臓血管形成術または外科的血行再建術を処方する、
Ｄ．　ＰＲＡが０．６５以上、１．６未満であれば、
ｉ．　低用量でＲ薬を処方し、ＢＰが適当に制御されなければ、ＢＰを測定し、Ｒ薬の用量を増加する、
ｉｉ．　Ｄ（ｉ）の後、ＢＰが適当に制御されなければ、Ｒ薬に加えて、低用量でＶ薬を処方する、
ｉｉｉ．　Ｄ（ｉｉ）の後、ＢＰが適当に制御されなければ、Ｖ薬の用量を増加し、ＰＲＡを測定する、
ｉｖ．　Ｄ（ｉｉｉ）の後、ＢＰが適当に制御されなければ、
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、そして、
ｃ．　ＰＲＡが６．５以上であれば、Ｖ薬を第２のＲ薬に切り替える。
【請求項４２】
次の段階からなり、Ｖ薬、Ｒ薬、またはＶおよびＲ薬の同時処方でも、予め治療に適当な応答が無い高血圧症患者の治療の方法、
Ａ．　それぞれの患者の血漿レニン活動度（ＰＲＡ）を測定する、
Ｂ．　ＰＲＡが０．６５未満で、患者がＶ薬を摂取していれば、
ｉ．　用量が低ければ、Ｖ薬の用量を増加し、それ以外は、Ｂ（ｉｉ）へ進む、
ｉｉ．　Ｂ（ｉ）の後、ＢＰが適当に制御されなければ、Ｖ薬に加えて、低用量でＲ薬を処方する、
ｉｉｉ．　Ｂ（ｉｉ）の後、ＢＰが適当に制御されなければ、Ｒ薬の用量を増加し、ＰＲＡを測定する、
ｉｖ．　Ｂ（ｉｉｉ）の後、ＢＰが適当に制御されなければ
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、
ｃ．　ＰＲＡが６．５以上であれば、Ｖ薬を第２のＲ薬に切り替える、
Ｃ．　ＰＲＡが０．６５未満で、患者がＲ薬を摂取していれば、
ｉ．　Ｒ薬の処方の他に、低用量でＶ薬を処方し、ＢＰを測定し、ＢＰが適当に制御されなければ、Ｖ薬の用量を増加する、
ｉｉ．　Ｃ（ｉ）の後、ＢＰが適当に制御されなければ、Ｖ薬に加えて、低用量でＲ薬を処方する、
ｉｉｉ．　Ｃ（ｉｉ）の後、ＢＰが適当に制御されなければ、Ｒ薬の用量を増加し、ＰＲＡを測定する、
ｉｖ．　Ｃ（ｉｉｉ）の後、ＢＰが適当に制御されなければ
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、
ｃ．　ＰＲＡが６．５以上であれば、Ｖ薬を第２のＲ薬に切り替える、
Ｄ．ＰＲＡが０．６５未満で、患者がＶ薬およびＲ薬を摂取していれば、
ｉ．　ＰＲＡが０．６５未満であれば、Ｒ薬を第２のＶ薬に切り替える、
ｉｉ．　ＰＲＡが０．６５以上、６．５未満であれば、第２のＲ薬を処方する、
ｉｉｉ．　ＰＲＡが６．５以上であれば、Ｖ薬を第２のＲ薬に切り替える、
Ｅ．　ＰＲＡが０．６５以上、１．６未満であり、患者がＶ薬を摂取していれば、
ｉ．　用量が低ければ、Ｖ薬の用量を増加し、それ以外は、Ｅ（ｉｉ）へ進む、
ｉｉ．　Ｅ（ｉ）の後、ＢＰが適当に制御されなければ、Ｖ薬に加えて、低用量でＲ薬を処方する、
ｉｉｉ．　Ｅ（ｉｉ）の後、ＢＰが適当に制御されなければ、Ｒ薬の用量を増加し、ＰＲＡを測定する、
ｉｖ．　Ｅ（ｉｉｉ）の後、ＢＰが適当に制御されなければ
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、
ｃ．　ＰＲＡが６．５以上であれば、Ｖ薬を第２のＲ薬に切り替える、
Ｆ．　ＰＲＡが０．６５以上、１．６未満であり、患者がＲ薬を摂取していれば、
ｉ．　用量が低ければ、Ｒ薬の用量を増加し、それ以外は、Ｆ（ｉｉ）へ進む、
ｉｉ．　Ｆ（ｉ）の後、ＢＰが適当に制御されなければ、Ｒ薬に加えて、低用量でＶ薬を処方する、
ｉｉｉ．　Ｆ（ｉｉ）の後、ＢＰが適当に制御されなければ、Ｖ薬の用量を増加し、ＰＲＡを測定する、
ｉｖ．　Ｆ（ｉｉｉ）の後、ＢＰが適当に制御されなければ
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、
ｃ．　ＰＲＡが６．５以上であれば、Ｖ薬を第２のＲ薬に切り替える、
Ｇ．ＰＲＡが０．６５以上、１．６未満であり、患者がＶ薬およびＲ薬を摂取していれば、
ｉ．　ＰＲＡが０．６５未満であれば、Ｒ薬を第２のＶ薬に切り替える、
ｉｉ．　ＰＲＡが０．６５以上、６．５未満であれば、第２のＲ薬を処方する、
ｉｉｉ．　ＰＲＡが６．５以上であれば、Ｖ薬を第２のＲ薬に切り替える、
Ｈ．　ＰＲＡが６．５以上であり、患者がＶ薬を摂取していれば、
ｉ．　Ｒ薬の処方の他に、低用量でＲ薬を処方し、ＢＰを測定し、ＢＰが適当に制御されなければ、Ｒ薬の用量を増加する、
ｉｉ．　Ｈ（ｉ）の後、ＢＰが適当に制御されなければ、Ｒ薬に加えて、低用量でＶ薬を処方する、
ｉｉｉ．　Ｈ（ｉｉ）の後、ＢＰが適当に制御されなければ、Ｖ薬の用量を増加し、ＰＲＡを測定する、
ｉｖ．　Ｈ（ｉｉｉ）の後、ＢＰが適当に制御されなければ
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、
ｃ．　ＰＲＡが６．５以上であれば、Ｖ薬を第２のＲ薬に切り替える、
Ｉ．　ＰＲＡが６．５以上であり、患者がＲ薬を摂取していれば、
ｉ．　用量が低ければ、Ｒ薬の用量を増加し、それ以外は、Ｉ（ｉｉ）へ進む、
ｉｉ．　Ｉ（ｉ）の後、ＢＰが適当に制御されなければ、Ｒ薬に加えて、低用量でＶ薬を処方する、
ｉｉｉ．　Ｉ（ｉｉ）の後、ＢＰが適当に制御されなければ、Ｖ薬の用量を増加し、ＰＲＡを測定する、
ｉｖ．　ＢＰが適当に制御されなければ
ａ．　ＰＲＡが０．６５未満であれば、Ｒ薬を第２のＶ薬に切り替える、
ｂ．　ＰＲＡが０．６５以上、６．５未満であれば、第２のＲ薬を処方する、
ｃ．　ＰＲＡが６．５以上であれば、Ｖ薬を第２のＲ薬に切り替える、
Ｊ．　ＰＲＡが６．５以上であり、患者がＶ薬およびＲ薬を摂取していれば、
ｉ．　ＰＲＡが０．６５未満であれば、Ｒ薬を第２のＶ薬に切り替える、
ｉｉ．　ＰＲＡが０．６５以上、６．５未満であれば、第２のＲ薬を処方する、
ｉｉｉ．　ＰＲＡが６．５以上であれば、Ｖ薬を第２のＲ薬に切り替える。
【発明の詳細な説明】
【０００１】
【発明の属する技術分野】
本発明は、高血圧の新しく有用な評価及び治療方法に関する。また、本発明は、高血圧に関する新しく有用なデータ分析、収集及び処理方法に関する。
【０００２】
【従来の技術】
高血圧は血圧が持続的に上昇した状態であり、心臓発作、心不全又は腎不全、脳卒中及びその他の心血管疾患をもたらす可能性がある。高血圧は世界の人口の約２０％に認められる。高血圧の検出及び治療に現在広く用いられている方法が不十分で、患者に大きな苦痛及び経済的負担をかけていることは重大な問題である。
【０００３】
［高血圧による経済的負担］
米国心臓学会の１９９９年の年次報告によれば、米国の高血圧による直接的費用は年間２６１億ドルを計上し、罹病率及び死亡率による生産性の損失から生まれる間接的費用はこれに加えて１１１億ドルであると見積もられている（表１）。さらに、高血圧とその他の心血管疾患との因果関係も、徐々に明らかになりつつある。
【０００４】
【表１】
2004508546.tif 000002
【０００５】
［患者数及び低い奏功率］
米国だけでも患者数は約５０００万人おり、そのうち高血圧の診断を受けているのは約６８％のみであると見積もられている（表２）。この高血圧と診断され治療を受けている３４２０万人のうち、血圧を十分にコントロールされている患者はわずかに２７％である。この率を１２％と示唆する控えめな推定もあり、他の国ではフランスで１２％、英国で９％と治療の奏功率はさらに低い。さらに、入手可能なデータによれば、新しい強力な抗高血圧薬が利用可能になっているにもかかわらず、治療の奏功率は過去数年で実質的に低下していることが示されている。
【０００６】
高血圧患者における奏功率が低いのは、抗高血圧薬の選択を経験的方法に頼ってきた結果である。この経験的方法は専門家によって推奨されたもので、多くの医師が従っている。例えば、米国では、高血圧の予防、検出、評価及び治療に関する合同委員会（ＪＮＣ）は定期的に高血圧に関する文献及び現時点の知見の調査を行っている。ＪＮＣが現在（ＪＮＣ ＶＩ）、最も古い抗高血圧薬に分類される利尿薬又はβ阻害薬を、第一選択薬として用いるよう推奨している。
【０００７】
ＪＮＣ ＶＩの推奨は、ＪＮＣが高血圧治療の評価を行う場合に用いる従来の疫学モデルに基づいている。このモデルは、高血圧は単一の過程を辿る疾患であり、すべての患者が同じ病態生理学的機序を有するものという前提のもとに成り立っている。利尿薬又はβ阻害薬のいずれか、又はその両方を用いる経験的治療によっても血圧が降下しなければ、血圧が低下するまで数種類の異なる薬剤を加えていく。この経験的治療は「段階的治療」と呼ばれる。段階的治療では、患者の多くが２種類以上の異なる抗高血圧薬を投与される。この方法では、長期にわたって薬剤の消費が増大し、より多くの副作用が起こる傾向にある。結果として、おそらく抗高血圧薬の服用指示を守る患者の比率は低くなり、それによってさらに血圧のコントロールが得られる可能性が低下する。例えば、カリフォルニアで最近行われた試験では、服用指示を守っているのは、高血圧のメディケイド人口のわずかに６％であることが明らかになった。
【０００８】
【表２】
2004508546.tif 000003
【０００９】
【発明が解決しようとする課題】
したがって、米国の年間医療費１兆２０００億ドルの約１５％と推定される、高血圧に関連する巨額の費用及び結果的に心血管疾患によって生じる費用の両方を低減するため、高血圧患者を有効に検査、評価及び治療する方法が、強く求められている。
【００１０】
【課題を解決するための手段】
本明細書で検討する本発明は、高血圧患者を評価及び治療し、疾患を検査するための新しい方法又はシステムのＬａｒａｇｈ Ｍｅｔｈｏｄを提供する。Ｌａｒａｇｈ Ｍｅｔｈｏｄは、個々の高血圧患者の必要に合わせた適切な治療を医師及び他の医療従事者が選択することを可能にする系統的方法を提供する。Ｌａｒａｇｈ Ｍｅｔｈｏｄは高血圧患者の治療の奏功率を著明に改善し、従来の経験的な「段階的治療」方法に比して合理的な薬剤選択法を使用する。
【００１１】
段階的治療方法は、多種多様な高血圧患者に関与する生化学的機序の異質性を認識することができないため、考え方として欠陥を有する。Ｌａｒａｇｈ Ｍｅｔｈｏｄは、高血圧が発熱と同じく一種の身体症状であって、その原因は複数であって確認可能であり、異常な機序によるものであるという考え方を組み入れている。発熱と同じく、高血圧も単一の処方だけでは適切な治療が行えない。
【００１２】
疾患が単一の過程を辿るという先入観及び疫学的知見に部分的に頼ったＪＮＣの勧告とは異なり、Ｌａｒａｇｈ Ｍｅｔｈｏｄは、個々の患者で血圧が最初に上昇する原因となった確認可能な病理学的機序を評価及び治療する。
【００１３】
Ｌａｒａｇｈ Ｍｅｔｈｏｄは、治療が奏効しなかった患者又は奏効しない治療を現在受けている患者だけでなく、未治療の高血圧患者を評価及び治療するために用いることもできる。また、Ｌａｒａｇｈ Ｍｅｔｈｏｄは、高血圧性発作を評価及び治療するために用いることもできる。
【００１４】
本明細書に開示する発明は、高血圧の患者又は高血圧が疑われる患者から得られたデータの検討及び分析（例えば、データ分析、データ処理及び／又はデータ収集）方法に用いることができる。このデータ分析方法は、直接的な診断又は直接的な治療のほかにも、集団を対象に検討を行うために１名以上の患者に関する情報を収集すること、治療、診断又は将来の研究において有効な戦略を予測すること、患者の健康上の問題、疫学的使用及びその他の使用を検討することに有用になることがある。例えば、本明細書に記載のデータ分析方法は、特定の高血圧治療法が、特定の患者群で他の患者群よりも奏効するかどうか、又は診断及び治療戦略が個々の患者又は患者集団に長期にわたって有効であるかどうかを検討するために用いることができる。本発明のこのデータ分析方法を実施するにあたっては、患者の検査は必要でない。その代わりに、データは患者のカルテから入手する。
【００１５】
【発明の実施の形態】
図１は、レニン−アンギオテンシン−アルドステロン系の略図である。この系は正常に機能すると、血圧が低すぎる場合に血圧を上昇させ、立位及び運動時又は脱水状態又は塩分喪失に際しても血圧を維持すると一般には考えられている。しかし、腎からレニンが過剰に分泌すると、血漿レニンが高値となり、高血圧、心臓発作、脳卒中及びその他の心血管疾患を引き起こす。
【００１６】
［血圧コントロールの機序及び抗高血圧薬］
血圧は一般に、循環血液量及び末梢血管系の小さな筋肉からなる血管である細動脈の収縮度の２因子で決定される。循環血液量は主として、体内で浸透圧によって水分を貯留し、それによって循環血液量を増やす体内ナトリウムの量によって決定される。細動脈の収縮は、複数の因子によって制御されており、そのなかでも最も重要なのは血中を循環するレニンの量である。レニンは腎が血液循環に放出するホルモンである。酵素のレニンについて知られている作用は、循環血液中のアンギオテンシノーゲンに、１０個のアミノ酸からなるアンギオテンシンＩを生成させる作用のみである。アンギオテンシンＩは昇圧作用を有さないが、血管壁を被い、血流を循環する変換酵素によって迅速に８個のアミノ酸からなるアンギオテンシンＩＩに「変換」される。アンギオテンシンＩＩは血管を収縮させる。こうして、血漿レニン−アンギオテンシン値又は体内ナトリウム量が過剰になると、血圧は上昇する。
【００１７】
レニンの血液への放出は、血圧を上昇させる一連の迅速な事象における第一段階である。
【００１８】
・正常血圧の人においては、レニンの分泌は血圧の低下又は通常は塩分喪失によって起こる循環血液量の低下のいずれかによって促進される。これとは逆に血圧の上昇又は塩分の摂取によってレニン系の働きは停止する。
【００１９】
・レニンは血中タンパク（アンギオテンシノーゲン）に働きかけ、アンギオテンシンＩを生成させる。アンギオテンシンＩはその後血管壁のアンギオテンシン変換酵素（ＡＣＥ）によってアンギオテンシンＩＩに変換される。
【００２０】
・アンギオテンシンＩＩは直ちに血管を収縮させるため、血圧を維持又は上昇させる。
【００２１】
・また、アンギオテンシンＩＩは副腎を刺激してアルドステロンを産生させるため、塩分が貯留することによって循環血液量が増え、血圧が回復する。
【００２２】
・血圧及び循環血液量が回復すると、腎への血流量が回復することによって腎からのレニン分泌が停止する。
【００２３】
・正常血圧では、塩分摂取と血漿レニンには相互作用が存在する。塩分摂取量及び血圧が上昇すると、血漿レニン活性は低下する。逆に、塩分摂取量が低下すると血漿レニン値は上昇する。しかし、高血圧患者では、塩分摂取量が正常であっても、血圧が上昇していても、血漿レニン値が上昇することがある。血圧の上昇によってレニンの分泌は停止するべきであるため、高血圧患者に血漿レニン量が認められるということ自体が異常である。レニンの産生が正常に行われているのは、レニン値の低い高血圧患者のみであるが、これらの患者においてはレニン活性を阻害しても血圧に変化は認められない。血漿レニン値が「正常」又は高い高血圧患者では、腎から放出されるレニンの働きが異常である。なぜなら、正常な人では塩分摂取が多いか血圧が上昇すれば、すぐに腎からのレニンの放出が「停止」し、血漿レニン値はゼロになるはずであるからである。このことは、レニン値が正常又は高い高血圧患者で血漿レニンの働きを阻害すると、血圧が迅速に正常化するという事実によって証明されている。
【００２４】
高血圧患者の管理を目標とするＬａｒａｇｈ Ｍｅｔｈｏｄは、高血圧が主として循環血液量に依存する（ナトリウムを介する）ものから、主として血管収縮に依存する（レニン−アンギオテンシンを介する）ものまで、多様な条件に起因するものであると認識している。市販の抗高血圧薬はすべて、ナトリウム因子又はレニン因子のいずれかを抑えるために働く。Ｌａｒａｇｈ Ｍｅｔｈｏｄを使用することによって、血漿レニン又はアンギオテンシン値を把握し、個々の患者の高血圧の原因となっている特定の機序を治療するために正しい種類の薬剤を選択することが可能になる。
【００２５】
Ｌａｒａｇｈ Ｍｅｔｈｏｄは一つの枠組みを提供し、現在広く用いられている高血圧への治療戦略の欠陥を明らかにし、理解させる。例えば、血管収縮（すなわちレニン）の側の血圧コントロールシステムが抗高血圧薬の投与によって阻害された場合、レニン系の活性が反応して上昇することがありその薬剤の有効性は低下する。ひとつの機序への阻害が、もうひとつの機序（すなわち血管収縮又は循環血液量）の活性を上昇させることによっても代償性の変化が起こり、血圧は上昇したままになる。これら２つの相殺作用が一緒になると、さらに抗高血圧薬プログラムの有効性は低下する。
【００２６】
抗高血圧療法における経験的方法は患者人口に基づいたものであり、個々の患者の疾患機序に基づいて薬剤を選択することができないため、血圧をコントロールするのに有効でない薬剤をある患者が一生にわたって投与されることも起こりうる。さらに、偶然に正しい薬剤が処方されていても、投与中に起こる反応性又は代償性の変化が、薬剤の効果を上回るか低下させることもある。これにより、抗高血圧薬の投与プログラムに指針をもたない過剰な操作がさらに加えられることになる。
【００２７】
［高血圧患者の基本的な２つの型］
高血圧患者に薬物療法を行うには、複雑な決定プロセスを経る。この複雑さは、市販の薬剤が薬理学的に異なる多種類に分類され、高血圧患者の機序も必ずしも一様でなく、したがって個々の患者の種々の抗高血圧薬への反応がきわめて異なるという事実による。利尿薬、特定のアルドステロン受容体阻害薬、カルシウムチャネル阻害薬、α遮断薬、β遮断薬、ＡＣＥ阻害薬、アンギオテンシン受容体拮抗薬及び中枢作用性α作動薬がこれらのカテゴリーの大半を占める。特殊な患者にどの薬剤を選択するかという問題は、これらの分類のなかに多数の異なる製剤が存在し、製薬会社が同分類の他の製剤との差別化を謳っていることからさらに複雑になっている。こうした市場における申し立てが医師及び患者をさらに困惑させている。
【００２８】
Ｌａｒａｇｈ Ｍｅｔｈｏｄはこれらの問題を、高血圧患者をＰＲＡ値によって２つに大きく分類することで解決している。（１）ＰＲＡ値が０．６５ｎｇ／ｍｌ／ｈｒ未満である主としてナトリウム量による高血圧患者と、（２）ＰＲＡ値が０．６５ｎｇ／ｍｌ／ｈｒ以上である血漿レニン−アンギオテンシンによる血管収縮が優勢又は優勢になりつつある高血圧患者である。
【００２９】
【表３】
2004508546.tif 000004
【００３０】
［２種類の薬剤］
Ｌａｒａｇｈ Ｍｅｔｈｏｄは、市販の抗高血圧薬の分類を、その主要な作用機序によって２つに大きく分類することによって治療への取り組みを簡素化する。
【００３１】
・レニン−アンギオテンシン系の活性を抑えるか、阻害することによって血圧を低下させる薬剤。
【００３２】
・腎からのナトリウム排泄を促進させることにより、体内ナトリウム及び循環血液量を低下させることが主要又は二次的作用であり、それによって血圧を低下させる薬剤。
【００３３】
【表４】
2004508546.tif 000005
【００３４】
下に列記する薬剤及びそれに伴う用量範囲は例示目的であって、Ｌａｒａｇｈ Ｍｅｔｈｏｄで用いる薬剤又は用量を限定するものではない。
【００３５】
［ナトリウム量を抑える「Ｖ」薬剤］
このカテゴリーに含まれるのは、腎に対するナトリウム尿排泄増加作用を主として有する薬剤、すなわち体内ナトリウム及び水分を低下させる薬剤である。一般に利尿薬は、尿細管の尿から腎が塩分及び水分を再吸収するのを妨げることによって働く。このため、体内のナトリウム及び水分量は低下することによって、心拍出量（心臓が押し出す血液量）が低下し、その結果、総末梢血管抵抗（血管が収縮し、その結果血流に抵抗する度合い）が低下する。いずれの変化も、塩分喪失及び血圧の降下に寄与する。この分類の薬剤には、チアジド又はループ利尿薬及び、Ｋ＋を喪失させることなく強力なナトリウム尿排泄増加−利尿作用を有しつつ、受容体を介するアルドステロンホルモンのその他の作用は阻害する特定のアルドステロン受容体阻害薬（ＳＡＲＡ）がある。第２に分類されるナトリウム尿排泄増加−利尿薬は、これとは異なる抗高血圧作用が主要であるが、腎のナトリウム排泄増加作用も有する薬剤である。カルシウムチャネル阻害薬（ＣＣＢ）は、小血管壁の細胞内カルシウムを低減することによって血圧を低下させるが、その腎血管拡張作用によってナトリウム排泄増加作用も有する。α遮断薬は、αアドレナリン作用性血管収縮作用を抑え、ナトリウム排泄増加作用を促進する。この薬剤は血管のα受容体を遮断し、心及び腎の受容体にノルエピネフリンが到達するのを妨げ、結果として血管拡張及び同時に血圧の低下をもたらす。こうしたＣＣＢ及びα遮断薬はナトリウム量を抑える古典的な薬剤ではないが、そのナトリウム排泄増加作用が降圧を容易にしていることが明らかになっており、レニン値が低く循環血液量の多い高血圧患者に特に有効であることから、ナトリウム量を抑える薬剤に分類される。将来発明又は開発される薬剤も、Ｌａｒａｇｈ ＭｅｔｈｏｄのＶ薬剤と同じ作用機序を有するか、同じように働く薬剤であれば、Ｖ薬剤として使用してよい。
【００３６】
［利尿薬］
市販の利尿薬にはチアジド、ループ利尿薬、ＳＡＲＡ薬剤及び組み合わせ薬剤があるが、これに限定されない。チアジドには、ベンドロフルメチアジド（Ｎａｔｕｒｅｔｉｎ）２．５〜５．０ｍｇ／日、クロロチアジド（Ｄｉｕｒｉｌ）１２５〜５００ｍｇ／日、クロルタリドン（Ｈｙｇｒｏｔｏｎ， Ｔｈａｌｉｔｏｎｅ）１２．５〜５０ｍｇ／日、ヒドロクロロチアジド（Ｅｓｉｄｒｉｘ， ＨｙｄｒｏＤＩＵＲＩＬ， Ｏｒｅｔｉｃ）１２．５〜５０ｍｇ／日、インダパミド（Ｌｏｚｏｌ）２．５〜５．０ｍｇ／日、メチルクロチアジド（Ｅｎｄｕｒｏｎ）２．５〜５．０ｍｇ／日及びメトラゾン（Ｚａｒｏｘｏｌｙｎ， Ｍｙｋｒｏｘ）０．５〜５．０ｍｇ／日があるが、これに限定されない。
【００３７】
ループ利尿薬には、ブメタニド（Ｂｕｒｎｅｘ）０．５〜５．０ｍｇ／日、エタクリン酸（Ｅｄｅｃｒｉｎ）２５〜１００ｍｇ／日及びフロセミド（Ｌａｓｉｘ）２０〜３２０ｍｇ／日があるが、これに限定されない。
【００３８】
特定のアルドステロン受容体阻害薬（ＳＡＲＡ）は、体内のナトリウム及び水分を低下させるが、尿中のカリウムの過剰な喪失を妨げる。こうしたＳＡＲＡ薬剤には、スピロノラクトン（Ａｌｄａｃｔｏｎｅ）１２．５ｍｇ／日がある。
【００３９】
組み合わせ薬剤は、古典的な利尿薬とＳＡＲＡ薬剤をともに含有する市販薬剤である。これには、スピロノラクトンとヒドロクロロチアジドを合わせた薬剤（Ａｌｄａｃｔａｚｉｄｅ）５０〜１００ｍｇ／日がある。
【００４０】
［二次的なＶ薬剤］
いわゆる二次的なＶ薬剤としては、カルシウムチャネル阻害薬及びα遮断薬が挙げられる。古典的なカルシウムチャネル阻害薬には、アムロジピン（Ｎｏｒｖａｓｃ）２．５〜１０．０ｍｇ／日、ジルチアゼム（Ｃａｒｄｉｚｅｍ）９０〜３６０ｍｇ／日、徐放性ジルチアゼム（Ｃａｒｄｉｚｅｍ ＳＲ）１２０〜３６０ｍｇ／日、増放性ジルチアゼム（Ｄｉｌａｃｏｒ ＸＲ）１８０〜３６０ｍｇ／日、徐放性フェロジピン（Ｐｌｅｎｄｉｌ Ｅｘｔｅｎｄｅｄ Ｒｅｌｅａｓｅ）５〜１０ｍｇ／日、イスラジピン（ＤｙｎａＣｉｒｃ）２．５〜１０．０ｍｇ／日、徐放性ニカルジピン（Ｃａｒｄｅｎｅ ＳＲ）６０〜１２０ｍｇ／日、ニフェジピン（Ａｄａｌａｔ， Ｐｒｏｃａｒｄｉａ）３０〜１２０ｍｇ／日、徐放性ニフェジピン（Ａｄａｌａｔ ＣＣ， Ｐｒｏｃａｒｄｉａ ＸＬ）３０〜９０ｍｇ／日、ベラパミル（Ｃａｌａｎ， Ｉｓｏｐｔｉｎ）８０〜３６０ｍｇ／日及び長時間作用性ベラパミル（Ｃａｌａｎ ＳＲ， Ｉｓｏｐｔｉｎ ＳＲ， Ｖｅｒｅｌａｎ）１２０〜３６０ｍｇ／日がある。
【００４１】
また、二次的なＶ薬剤としては新たなカルシウムチャネル阻害薬が挙げられ、徐放性ジルチアゼム（Ｔｉａｚａｃ）、ニソルジピン（Ｓｕｌａｒ）、増放性ベラパミル（Ｃｏｖｅｒａ−ＨＳ）、ラシジピン（初期段階の治験が成功し、近く市販予定）及びマニジピン（欧州で市販）があるが、これに限定されない。
【００４２】
また、二次的なＶ薬剤としてはα遮断薬が挙げられる。市販のα遮断薬にはドキサゾシン（Ｃａｒｄｕｒａ）１〜１６ｍｇ／日、ラベタロール（Ｎｏｒｍｏｄｙｎｅ， Ｔｒａｎｄａｔｅ）２００〜１２００ｍｇ／日、プラゾシン（Ｍｉｎｉｐｒｅｓｓ）１〜２０ｍｇ／日及びテラゾシン（Ｈｙｔｒｉｎ）１〜２０ｍｇ／日があるが、これに限定されない。
【００４３】
［Ｖ薬剤のＰＲＡ値に対する作用］
ＰＲＡと血圧の間には相互関係が存在することを理解することは重要である。高血圧によってレニンの分泌は抑制されるが、低血圧ではレニンの分泌は促進する。高血圧患者で最初に高血圧が発現する時に、ＰＲＡ値は降下するはずである。この高血圧によるレニンの低下作用は、事実、高血圧患者の多くで血中レニン値が正常値よりも低いことの説明となっている。つまり、有効な降圧療法とは通常、ＰＲＡ値を上昇させるものである。血圧の降下はレニンの分泌を促進するからである。このことは、（レニンの分泌を抑えることによって働くβ遮断薬又は中枢作用性アドレナリン作用薬を除く抗高血圧薬の）投与によっても患者のＰＲＡ値が上昇しない場合は、その薬剤が有効でないか、用量が少なすぎるか、患者が薬剤を服用していないかのいずれかである。血圧の低下がレニンに与える促進作用に加えて、利尿薬又は特定のアルドステロン受容体拮抗薬によってもたらされるナトリウム尿排泄によっても、ネフロンの密集斑からのシグナルが切られ、ＰＲＡ値が上昇する。この二重作用は、利尿薬又はＳＡＲＡが血圧を低下させると、その他のナトリウム量を抑える薬剤、カルシウムチャネル阻害薬（ＣＣＢ）又はα遮断薬によって高血圧が正常に戻る場合よりもＰＲＡ値が大きく上昇する可能性があることを意味する。
【００４４】
図２は、高血圧患者にナトリウム量低下薬を投与した場合に、血圧（ＢＰ）及び血漿レニン（ＰＲＡ）値の予測される変化を、ベースラインのＰＲＡ値と関連付けて示したものである。ＰＲＡ値は対数スケールで示していることに留意されたい。矢印の左側は未治療患者のＢＰ及びＰＲＡ値を示す。矢印の先端は、同じ患者の薬剤投与中のＢＰ及びＰＲＡ値を示す。
【００４５】
図２に示すとおり、ナトリウム量を抑える薬剤は、ＰＲＡ値が０．６５ｎｇ／ｍｌ／ｈｒ未満の患者で最も有効である。こうした患者のＰＲＡ値は、通常はわずかに反応して上昇するのみである。Ｌａｒａｇｈ Ｍｅｔｈｏｄにはこうした知見が組み込まれている。
【００４６】
ＰＲＡ値が０．６５ｎｇ／ｍｌ／ｈｒ以上の患者は、血圧に関してナトリウム量及び血管収縮に関連する因子をいずれも有していると考えられるため、血圧の低下幅は少ない。
【００４７】
ＰＲＡ値が上昇すると、患者のＶ薬剤に対する反応は徐々に低下していく可能性がある。これは、その患者の高血圧のナトリウム量に関わる原因が少なくなり、レニンに関わる原因が多くなるためである。さらに、ベースラインのＰＲＡ値が高いほど、Ｖ薬剤によるＰＲＡ値の反応性上昇が大きくなる可能性が高くなる。高値のＰＲＡは血管障害をもたらすため、こうした患者は利尿薬によってわずかな血圧の低下が得られるとしても、心疾患の予防には全くならないと考えられる。
【００４８】
ベースラインのＰＲＡ値が１．５ｎｇ／ｍｌ／ｈｒを超える患者では、必ず腎血管性高血圧を疑わなければならない。腎血管性高血圧患者のなかには、レニンの分泌が促進し、したがって血漿レニン値がきわめて大きな反応性上昇をみせるために、実際に利尿薬の投与中に血圧がさらに上昇するものもいる。
【００４９】
本明細書で用いる用語「十分にコントロールされた」血圧とは、医療専門家又は患者自身が想定する特別な血圧パラメータ値（すなわち所定の範囲）を意味する。本明細書に記載の発明の有益な点のひとつは、本発明を用いて、特に望ましい血圧コントロールを得ることができることである。
【００５０】
［レニンを抑える「Ｒ」薬剤］
レニンを抑える「Ｒ」薬剤は、（１）腎によるレニンの分泌を抑える薬剤（β遮断薬）か、（２）レニンによるアンギオテンシンＩＩの生成を妨げる薬剤（アンギオテンシン変換酵素阻害薬）か、（３）アンギオテンシンＩＩが血管壁の受容体に結合するのを妨げる薬剤（アンギオテンシン受容体拮抗薬）のいずれかである。このように、３剤すべてがレニン系の機能を阻害するのに異なる部位で働く。しかし、３剤ともレニン−アンギオテンシン系の完全な遮断薬というわけではない。したがって、これらの薬剤はレニン系を異なる部位で遮断するため、治療抵抗性の患者にはこれら３剤すべてを併用してより完全にレニン系を遮断することができる。将来発明又は開発される薬剤も、Ｌａｒａｇｈ ＭｅｔｈｏｄのＲ薬剤と同じ作用機序を有するか、同じように働く薬剤であれば、Ｒ薬剤として使用してよい。
【００５１】
Ｌａｒａｇｈ Ｍｅｔｈｏｄに組み込むことのできる市販のβ遮断薬には、アセブトロール（Ｓｅｃｔｒａｌ）２００〜１２００ｍｇ／日、アテノロール（Ｔｅｎｏｒｍｉｎ）２５〜１００ｍｇ／日、ベタクソロール（Ｋｅｒｌｏｎｅ）５〜４０ｍｇ／日、カルテオロール（Ｃａｔｒｏｌ）２．５〜１０．０ｍｇ／日、メトプロロール（Ｌｏｐｒｅｓｓｏｒ）５０〜２００ｍｇ／日、増放性メトプロロール（Ｔｏｐｒｏｌ−ＸＬ）５０〜２００ｍｇ／日、ナドロール（Ｃｏｒｇａｒｄ）２０〜２４０ｍｇ／日、ペンブトロール（Ｌｅｖａｔｏｌ）２０〜８０ｍｇ／日、ピンドロール（Ｖｉｓｋｅｎ）１０〜６０ｍｇ／日、プロプラノロール（Ｉｎｄｅｒａｌ）５〜２４０ｍｇ／日、長時間作用性プロプラノロール（Ｉｎｄｅｒａｌ ＬＡ）６０〜２４０ｍｇ／日及びチモロール（Ｂｌｏｃａｄｒｅｎ）２０〜４０ｍｇ／日があるが、これに限定されない。
【００５２】
新しいβ遮断薬もいくつか市販されており、カルベジロール（Ｃｏｒｅｇ）、ネビボロール、セリプロロールが挙げられるが、これに限定されない。
【００５３】
β遮断薬のほかにも、アンギオテンシン変換酵素阻害薬（ＡＣＥ阻害薬）などのＲ薬剤をＬａｒａｇｈ Ｍｅｔｈｏｄに用いることができる。ＡＣＥは不活性な基質アンギオテンシンＩから、強力な血管収縮因子であるアンギオテンシンＩＩへの変換を触媒する酵素である。ＡＣＥ阻害薬はこの酵素を不活化し、血中のアンギオテンシンＩＩの量を減少させることによって、血管を拡張させ、血圧を低下させる。市販のＡＣＥ阻害薬は、ベナゼプリル（Ｌｏｔｅｎｓｉｎ）１０〜４０ｍｇ／日、カプトプリル（Ｃａｐｏｔｅｎ）１２．５〜１５０ｍｇ／日、エナラプリル（Ｖａｓｏｔｅｃ）２．５〜４０ｍｇ／日、フォシノプリル（Ｍｏｎｏｐｒｉｌ）１０〜４０ｍｇ／日、リシノプリル（Ｐｒｉｎｉｖｉｌ， Ｚｅｓｔｒｉｌ）５〜４０ｍｇ／日、キナプリル（Ａｃｃｕｐｒｉｌ）５〜８０ｍｇ／日、ラミプリル（Ａｌｔａｃｅ）１．２５〜２０ｍｇ／日、トランドラプリル（Ｍａｖｉｋ）１〜４ｍｇ／日及び塩酸モエキシプリル（Ｕｎｉｖａｓｃ）７．５〜６０ｍｇ／日である。
【００５４】
もうひとつのＲ薬剤はアンギオテンシン受容体拮抗薬（ＡＲＢ）である。この薬剤は、アンギオテンシンＩＩの血管収縮作用を遮断する。アンギオテンシン受容体拮抗薬には、イルベサルタン（Ａｖａｐｒｏ）１５０〜３００ｍｇ／日、ロサルタン（Ｃｏｚａａｒ）５０〜２００ｍｇ／日及びバルサルタン（Ｄｉｏｖａｎ）８０〜３２０ｍｇ／日があるが、これに限定されない。
【００５５】
［Ｒ薬剤のＰＲＡ値に対する作用］
血圧の低下によって腎からのレニンの放出が促進するという影響に加えて、ＡＣＥ阻害薬（ＣＥＩ）及びアンギオテンシン受容体拮抗薬（ＡＲＢ）は直接的にＰＲＡ値を上昇させる。ＣＥＩ及びＡＲＢは、アンギオテンシンＩＩの生成又はその作用のいずれかを妨げて、血中アンギオテンシンＩＩ値の上昇によって腎からのレニン分泌に対する自然なフィードバック抑制が機能しないようにする。これは、ＣＥＩ又はＡＲＢのいずれかが血圧を低下させれば、カルシウムチャネル遮断薬又はα遮断薬によって高血圧が正常になる場合よりもＰＲＡ値ははるかに高くなるということである。
【００５６】
図に示すように、β遮断薬及びクロニジンのような中枢作用性交感神経系抑制薬は特別な薬剤である。これら２種類の薬剤は、ＰＲＡ値を低下させる唯一の抗高血圧薬である。いずれも、腎からレニンを分泌させる交感神経β受容体刺激作用を遮断するか、抑えることによって、ＰＲＡ値を低下させる。このため、これらの薬剤は血漿レニン及びアンギオテンシンＩＩ値を低下させるのにきわめて有効である。ただし、これらの薬剤はβ受容体を介してレニンの分泌を抑制するのみであるため、レニン値はＰＲＡ値に反映されるまでには完全に抑制されないことがある。特殊な高血圧患者において、レニンの過剰分泌がその他の機序（例えば腎疾患）を介している場合は、β遮断薬はＰＲＡ値を低下させるが、理想的に血圧を低下させるまではこれを抑えないこともある。しかし、β遮断薬は強力にレニン分泌を低下させるため、他のレニンを抑える薬剤との併用にはきわめて有用である。併用しなければＣＥＩ又はＡＲＢの投与によってもたらされるレニン系の遮断を上回るかもしれないレニンの反応性上昇を抑えるからである。このように、反応性にレニンが次々に分泌されれば、アンギオテンシンＩＩの生成（ＣＥＩ）又は作用（ＡＲＢ）が遮断されるにもかかわらず、血圧が再上昇することもある。
【００５７】
図３は高血圧患者にレニンを抑える薬剤（すなわち「Ｒ薬剤」）を投与した場合に、血圧（ＢＰ）及び血漿レニン（ＰＲＡ）値の予測される変化を、ベースラインのＰＲＡ値と関連付けて示したものである。ＰＲＡ値は対数スケールで示していることに留意されたい。
【００５８】
ＰＲＡ値が０．６５ｎｇ／ｍｌ／ｈｒ未満の患者では、血漿レニン値が血圧を維持するには低すぎるため、レニン系を抑える薬剤でＢＰが低下することは期待しにくい。それゆえ、レニンを抑える薬剤療法でＰＲＡ値が大きく上昇するとは考えにくい。
【００５９】
ＰＲＡ値が０．６５〜６．５ｎｇ／ｍｌ／ｈｒの患者では、ベースラインのＰＲＡ値が高いほど、血圧が低下する可能性は高く、レニン系を抑える療法によって血圧が低下する可能性も高い。
【００６０】
ＰＲＡ値が約６．５ｎｇ／ｍｌ／ｈｒ（循環するＰＲＡが血圧に影響し始める値の１０倍）以上では、ＣＥＩ及びＡＲＢなどのレニンを抑える薬剤による単剤療法に対して血圧が反応しにくくなることがある。これらによって血圧が低下する場合は、レニンの反応性上昇も必ず認められるためである。レニン系を抑える薬剤のほとんどが、循環レニン−アンギオテンシン系の約９０％しか遮断しないため、ＰＲＡ値が１０倍上昇すれば、完全にレニン系の遮断効果を上回る。ベースラインのレニン値がきわめて高い患者において、レニンの分泌は最も反応性に上昇すると考えられるため、例外的に高い血漿レニン値を有し、レニン系を抑える療法を切実に必要とする患者のなかには、血圧が単剤のＲ薬剤に十分反応しないこともある。ただし、こうした患者のＰＲＡ値は劇的な反応を示す。こうした患者には２剤以上のレニン系を抑える薬剤が必要である。
【００６１】
この観点から、β遮断薬はＰＲＡの反応性上昇を抑えるため、ＡＣＥ阻害薬及びアンギオテンシン受容体拮抗薬の補助剤として有用であることが多い。ＡＣＥ及びＡＲＢも、いずれもがレニン系を異なる部位から攻撃するため、併用によって良好な結果が得られる。
【００６２】
ＡＣＥ又はＡＲＢを服用する患者に、ＰＲＡの上昇が全く認められないということは、重要な情報を示唆している。その薬剤が働いていないということである。原因は服用指示が守られていないか、薬剤が十分でない（用量が低すぎる）か、ベースラインのレニン値が低すぎることである。
【００６３】
ベースラインのＰＲＡ値が１．５ｎｇ／ｍｌ／ｈｒを超える患者又はＡＣＥ又はＡＲＢの投与によってＰＲＡが大きく反応性に上昇する患者では、必ず腎血管性高血圧を疑わなければならない。
【００６４】
［併用療法］
レニン及びナトリウム因子のいずれもが主要因子であるか、初回に投与した薬剤に対して反応する患者に対しては、１剤又はそれ以上のレニン抑制及び／又はナトリウム量抑制薬剤を用いた併用療法が必要になることがある。こうした患者には２剤療法が可能で、有効かつ好適である場合がある。あるいは、薬理学的Ｖ又はＲ物質の両方を含む単剤２剤のみからなる併用療法も使用できる（Ｖ／Ｒ薬剤）。本明細書に記載するＬａｒａｇｈ ＭｅｔｈｏｄはＶ／Ｒが組み合わされた単剤の合理的な使用に対しても適用される。
【００６５】
あらゆる併用療法の有効性は、各患者においてレニン及び血圧検査によって明らかにされるべきである。その併用療法が単剤同士を用いて確認されている場合は、市販されている多くの組み合わせ薬剤のひとつを、服用する錠剤数を減らす利便性のために用いてもよい。
【００６６】
例えば、β遮断薬及び利尿薬の様々な組み合わせを、単剤の併用療法として用いることができる。こうした薬剤には、アテノロール（Ｔｅｎｏｒｍｉｎ）とクロルタリドン、ナドロール４０〜８０ｍｇ／日とベンドロフルメチアジド５〜１０ｍｇ／日（Ｃｏｒｚｉｄｅ）及び塩酸プロプラノロールとヒドロクロロチアジド（Ｉｎｄｅｒｉｄｅ）がある。
【００６７】
その他の併用療法には例えば、ＡＣＥ阻害薬と利尿薬を組み合わせた薬剤がある。こうした薬剤で現在市販されているのは、カプトプリルとヒドロクロロチアジド（Ｃａｐｏｚｉｄｅ）用量は患者毎に設定、エナラプリル５ｍｇ／日とヒドロクロロチアジド１２．５ｍｇ／日（Ｖａｓｅｒｅｔｉｃ）、リシノプリル１０〜８０ｍｇ／日とヒドロクロロチアジド６．２５〜５０ｍｇ／日（Ｚｅｓｔｏｒｅｔｉｃ）及び塩酸モエキシプリル３０ｍｇ／日未満とヒドロクロロチアジド５０ｍｇ／日（Ｕｎｉｒｅｔｉｃ）であるが、これに限定されない。
【００６８】
さらにその他の併用療法には、ＡＣＥ阻害薬とカルシウムチャネル拮抗薬の組み合わせがある。こうした薬剤には、アムロジピン２．５ｍｇ／日以上と塩酸ベナゼプリル１０ｍｇ／日（Ｌｏｔｒｅｌ）、エナラプリルとフェロジピン（Ｌｅｘｘｅｌ）及びトランドラプリル１〜４ｍｇ／日と塩酸ベラパミル１８０〜２４０ｍｇ／日（Ｔａｒｋａ）があるが、これに限定されない。
【００６９】
またアンギオテンシン阻害薬と利尿薬が組み合わされた調剤も市販されている。こうした薬剤には、例えばロサルタンカリウム５０〜１００ｍｇ／日とヒドロクロロチアジド１．２５〜２５ｍｇ／日（Ｈｙｚａａｒ）などがある。
【００７０】
［その他に分類される薬剤］
中枢作用性α作動薬など、その他に分類される薬剤も、Ｌａｒａｇｈ Ｍｅｔｈｏｄに組み入れてよい。市販のα作動薬には、メチルドパ（Ａｌｄｏｍｅｔ）５００〜２０００ｍｇ／日、クロニジン（Ｃａｔａｐｒｅｓ）０．２〜０．４ｍｇ／日、Ｓｅｒ−Ａｐ−Ｅｓ、塩酸グアンファシン（Ｔｅｎｅｘ）１〜２ｍｇ／日及び酢酸グアナベンズ（Ｗｙｔｅｎｓｉｎ）４〜８ｍｇ／日がある。これらの薬剤は不快な副作用を来すため、推奨されることはまれである。
【００７１】
また、まだ開発されていないがＶ薬剤、Ｒ薬剤又はＶ／Ｒ組み合わせ薬剤の特性を示す薬剤をＬａｒａｇｈ Ｍｅｔｈｏｄに組み入れてよい。
【００７２】
［血漿レニン活性検査の重要性］
血漿レニン活性検査（ＰＲＡ）は、小血管に直接的かつ即時に働きかけて収縮させ、それによって血圧を上昇させるアンギオテンシンを、患者の血中レニンが血流内で生成する能力を測定するものである。したがって、適切に実施された血漿レニンの酵素動態測定はきわめて重要であり、高血圧及びその他の心血管障害への血漿レニン−アンギオテンシンの関与の評価の中核をなす。
【００７３】
検査は、歩行可能な患者を静かに座らせ、静脈血７ｍｌ未満をＥＤＴＡ ＶａｃｕｔａｉｎｅｒＲに採取して実施する。絶食又は処方食は必要ない。採取した血液は室温で保管し、冷却しない。遠心分離後、測定を翌日又は２日後に実施するまで、血漿を室温で保存する。測定がこれより遅れる場合は血漿を凍結し、迅速に解凍して分析する。レニン測定のための酵素動態分析方法の詳細は、１９９１年Ｊ．Ｅ． Ｓｅａｌｅｙ Ｃｌｉｎｉｃａｌ Ｃｈｅｍｉｓｔｒｙ発行及び１９９５年Ｓｅａｌｅｙ， Ｊａｍｅｓ及びＬａｒａｇｈ著、Ｌａｒａｇｈ及びＢｒｅｎｎｅｒ第二版、高血圧：病態生理、診断及び治療、Ｌａｒａｇｈ Ｊ．Ｈ．及びＢｒｅｎｎｅｒ、Ｂ．Ｎ．， （ｅｄｓ．）， Ｒａｖｅｎ Ｐｒｅｓｓ， Ｎｅｗ Ｙｏｒｋ， ＮＹ， ｐｐ． １９５３−１９６８に発表されており、その内容は本明細書に参照として組み込まれている。ここに記載されている検査を、以後Ｓｅａｌｅｙ， ａｎｄ Ｌａｒａｇｈ ＰＲＡ検査と呼ぶ。将来開発又は採用される可能性があり、実質的に感受性及び確度が同等又は高いＰＲＡの測定検査も、Ｌａｒａｇｈ Ｍｅｔｈｏｄに用いることができる。
【００７４】
検査の実施にあたって処方食又は運動は必要でない。患者は仰臥位を取ってはならず、通常の臨床状態が正常の時に血液を採取するべきである。抗高血圧薬又は心血管疾患の治療薬の使用に関する知識が重要になる。
【００７５】
ＰＲＡ検査を正しく実施するには、最大感度が得られる必要がある。これにより、高血圧患者の約３０％以上に認められる正常値以下の血漿レニン値を、完全に探索し、定義することができるためである。血漿試料を長時間（１８時間）インキュベートし、ラジオイムノアッセイによって検出可能な数千のアンギオテンシンのコピーを産生させることができる酵素動態測定であれば、最大感度が得られる。
【００７６】
こうして正常値以下の範囲を決定することで、レニンが低値の患者を、レニンが中から高値の患者から正確に区別し、それによって早期の心臓発作のリスクを有する患者と、そうでない患者とを正確に決定することができる。この検査により、レニン因子を有する高血圧患者（ＰＲＡが０．６５〜１０ｎｇ／ｍｌ／ｈｒ又はそれ以上）を、ナトリウム量因子の直接的な尺度である低値のＰＲＡ（０．６５未満）によって、ナトリウム量因子を有するとされる患者から区別することができる。簡潔に言えば、低値を正確に確認することのできないレニン測定法は、高血圧患者におけるナトリウム量及び／又はレニン因子を定量化することができない。レニン測定のための簡潔かつ直接的なラジオイムノアッセイ法のいくつかが発表されているが、そのすべてが感度に重大な問題を有する。このほか、レニン測定では、血液及び血漿試料を冷却することによって、前駆体プロレニンがレニンに活性化し（Ｓｅａｌｅｙ １９７６）、特に糖尿病及びレニンが低値の高血圧患者に起こりやすい誤差の１０倍で人工的に高い血漿レニン値を示すことによってアーチファクトが起こる。
【００７７】
上述の酵素動態測定法を用いると、未治療の歩行可能な高血圧患者（血圧＞１４０／９５）の３０％が、０．６５未満と低値のＰＲＡを示す。６０％が０．６５〜３．０と中値を、１０％が３．０を超える高値を示す。
【００７８】
血圧の低い正常な被験者のほとんどすべてが、高血圧患者に比べて若干高いレニン値（１．０〜３．０ｎｇ／ｍｌ／ｈｒ）を示す。これは、高血圧患者の腎血管の血圧の上昇が腎からのレニンの放出を抑制するべく働く結果である。この作用があるため、高血圧患者で血中に何らかの血漿レニンが認められれば、すべて異常であると考えるべきである。なぜなら、正常な人では、塩分摂取又はネオシネフリンの静注によって血圧が上昇すれば、血漿レニン値は直ちにゼロに落ちるためである。
【００７９】
筆者らは根治可能な腎血管性高血圧を来した患者のＰＲＡが必ず１．５ｎｇ／ｍｌ／ｈｒを超えており、腺腫による根治可能な原発性アルドステロン症を来した患者のＰＲＡは必ず低値、すなわち０．６５ｎｇ／ｍｌ／ｈｒ未満であることを確認している。
【００８０】
［Ｌａｒａｇｈ Ｍｅｔｈｏｄを用いた治療の開始］
Ｌａｒａｇｈ Ｍｅｔｈｏｄで用いる２つに大別される抗高血圧薬、ナトリウム量抑制のＶ薬剤及びレニン抑制のＲ薬剤に関する考察を行ってきた。Ｌａｒａｇｈ Ｍｅｔｈｏｄではこの薬剤分類とともに、すべての高血圧患者をその血漿レニン値に従って２種類に大別する。（１）レニン−アンギオテンシンといった昇圧物質及び血管障害因子を有する可能性が徐々に高くなっている患者（ＰＲＡが０．６５ｎｇ／ｍｌ／ｈｒ以上）と、（２）レニン値が低い患者、すなわち血漿レニン因子を有さず（ＰＲＡが０．６５ｎｇ／ｍｌ／ｈｒ未満）、その代わりに高血圧を持続させるナトリウム量因子を主として有する患者である。
【００８１】
薬物療法を始めるにあたっての指針となるＰＲＡ検査の好ましい使用法を、下の表Ｖに示す。ＰＲＡが不明であれば、Ｒ薬剤の投与から始めるのが望ましい。これらの薬剤（特にＡＲＢ）は特異性が高く、血圧が急落すれば、又は逆の場合も、血漿レニンの関与についての強力な診断情報が得られるためである。Ｒ薬剤に対して反応が見られない場合は、ナトリウム量の機序が関与していることになる。
【００８２】
【表５】
2004508546.tif 000006
【００８３】
ＰＲＡが０．６５ｎｇ／ｍｌ／ｈｒ以上の患者はふつうレニン依存型高血圧ではなく、ナトリウム量依存性高血圧である。同じく、レニン値の低い患者は、その血圧にレニン因子がわずかに関与していることがある。正常血圧の人と同じように、ナトリウム量因子と血漿レニン値は常に種々の比率で作用し合い、その血圧を保っている。このため、レニン値が０．６５ｎｇ／ｍｌ／ｈｒに近づくほど、レニン因子及びナトリウム量因子のいずれもがある程度存在する可能性が高くなる。しかし、過剰な血漿レニン値は、ナトリウム量の過剰によるというよりは、心、脳及び腎血管など心血管系の障害に起因する確率が高いため、治療戦略を計画するにあたり、Ｌａｒａｇｈ Ｍｅｔｈｏｄではまずレニン因子を治療してから、その反応が低い場合にのみ、ナトリウム量因子の治療を行う。
【００８４】
Ｌａｒａｇｈ Ｍｅｔｈｏｄを実現するため、患者の血圧は、当業者において既知のいくつかの方法のいずれかひとつ、又は個々の医師又は医療従事者の好みの方法で測定してよい。目標とする血圧及び血圧コントロール又は良好な血圧コントロールの内容を確認するのも、当業者において既知のいくつかの方法のいずれかひとつ、又は個々の医師又は医療従事者の好みの方法に頼ってよい。現在の血圧測定値又は目標とする又は望ましい血圧として選択した血圧値がいかなるものであれ、Ｌａｒａｇｈ Ｍｅｔｈｏｄは患者の血圧を低下させ、コントロールを助けるために用いることができる。
【００８５】
本明細書に記載のその他の特定の検査及び手法（カプトプリル検査、腎静脈血採取、腎血管造影、副腎ＣＴ検査、副腎静脈血採取、２４時間尿アルドステロン、低カリウム血症の評価、腎血管形成術、外科的血行再建術、片側副腎摘出など）が当業者によく知られており、その同等性が認識されている検査及び手法を用いることもできる。こうした検査によって得られた実際の値、測定値又は所見よりも、その値が示す事実が重要である。
【００８６】
Ｌａｒａｇｈ Ｍｅｔｈｏｄは特定の薬剤を処方するように指示を出すが、その薬剤が有効であるかどうかを判定するためその後患者の血圧の測定を行うことがある。この血圧測定による薬剤の有効性の判定は、その薬剤が作用する時間を十分にとった後行うべきである。この時間には薬剤によってきわめて幅があり、薬剤が有効になるまでにどれぐらいの時間がかかるかといった多数の因子に左右される。このため、フォローアップのための事務所、病院又は医院への来院日及び血圧測定日は、処方されている薬剤とそれが作用するまでの期間を考慮したうえで設定しなければならない。
【００８７】
Ｌａｒａｇｈ Ｍｅｔｈｏｄの典型的な実施形態において、処方される薬剤は、１名以上の助手、看護師、技術者又は薬剤師を含むが、これに限定されない医師の指導の下、医師又は医療従事者によって投与される。本明細書に記載するように、患者は自らで薬剤を服用してもよい。「投与」には、例えば口頭又は文書による処方、提供、勧告又は示唆が含まれるが、これに限定されない。
【００８８】
［プロトコルＩ：新たな又は未治療の高血圧患者の治療指針のための血漿レニン活性（ＰＲＡ）の使用］
図４及び下の表６は、新たな又は未治療の患者に対するＬａｒａｇｈ Ｍｅｔｈｏｄの典型的な実施形態の概要を示すものである。このＬａｒａｇｈ Ｍｅｔｈｏｄの典型的な実施形態において、評価及び治療は、患者による一連の来院日からなる。来院日１に血圧（ＢＰ）を測定し、採血して血漿レニン活性（ＰＲＡ）を測定する。来院日２にＰＲＡが０．６５未満であれば、その患者をナトリウム量依存型（Ｖ）高血圧に分類する。ＰＲＡが０．６５ｎｇ／ｍｌ／ｈｒ以上であれば、患者を血管収縮依存型（Ｒ）高血圧に分類する。
【００８９】
来院日２にＶ型に分類された患者には、低用量のＶ薬剤から投与を始めることができる。この患者には来院日３にＢＰ検査を再度行う。ＢＰが許容範囲内であれば、以降の来院日ではルーチンなフォローアップを行う。ＢＰがコントロールされていなければ、Ｖ薬剤の増量を行う。来院日４でＢＰがコントロールされていれば、以降の来院日ではルーチンなフォローアップを行う。ＢＰがコントロールされていなければ、投与計画にＲ薬剤を加える。来院日５でＢＰがコントロールされていれば、以降の来院日ではルーチンなフォローアップを行う。ＢＰがコントロールされていなければ、Ｒ薬剤を増量し、採血してＰＲＡ値を測定する。来院日６でＢＰがコントロールされていれば、以降の来院日ではルーチンなフォローアップを行う。ＢＰがコントロールされていなければ、ＰＲＡ値に基づいた投与計画の変更を行う。ＰＲＡ値が０．６５ｎｇ／ｍｌ／ｈｒ未満であれば、Ｒ薬剤を中止し、第２のＶ薬剤を追加する。ＰＲＡ値が０．６５〜６．５ｎｇ／ｍｌ／ｈｒであれば、第２のＲ薬剤を追加する。ＰＲＡ値が６．５を超えていれば、Ｖ薬剤を中止し、第２のＲ薬剤を追加する。
【００９０】
図４に示すように、Ｖ型に分類された低カリウム血症患者では、来院日２に、低用量のＶ薬剤の投与を始めるのではなく、外科的に根治可能な原発性アルドステロン症の存在を確かめるという異なる治療プロトコルを適用する。患者の血中カリウム値が低ければ、２４時間尿アルドステロン検査を実施する。来院日３で２４時間尿アルドステロンが正常値であれば、上の来院日２で述べた低用量のＶ薬剤の投与を開始する必要がある。その後、上の来院日３〜６で述べた段階を続ける。来院日３で２４時間尿アルドステロン値が高ければ、来院日４では副腎ＣＴ検査及び／又は副腎静脈血採取を行う。この来院日４に実施した検査の結果が陰性であれば、上の来院日２で述べた低用量のＶ薬剤の投与を開始する必要がある。その後、上の来院日３〜６で述べた段階を続ける。来院日４に実施した検査の結果が陰性でなければ、来院日５に片側副腎摘出を行い、来院日６に術後のフォローアップを行い、その後ルーチンなフォローアップを行う。
【００９１】
これとは逆に、Ｒ型の高血圧に分類された患者では、来院日２に低用量のＲ薬剤の投与を開始する。この患者には来院日３にＢＰ検査を再度行う。ＢＰが許容範囲内であれば、以降の来院日ではルーチンなフォローアップを行う。ＢＰがコントロールされていなければ、Ｒ薬剤の増量を行う。来院日４でＢＰがコントロールされていれば、以降の来院日ではルーチンなフォローアップを行う。ＢＰがコントロールされていなければ、投与計画にＶ薬剤を加える。来院日５でＢＰがコントロールされていれば、以降の来院日ではルーチンなフォローアップを行う。ＢＰがコントロールされていなければ、Ｖ薬剤を増量し、採血してＰＲＡ値を測定する。来院日６でＢＰがコントロールされていれば、以降の来院日ではルーチンなフォローアップを行う。ＢＰがコントロールされていなければ、ＰＲＡ値に基づいた投与計画の変更を行う。ＢＰがコントロールされていなければ、ＰＲＡ値に基づいた投与計画の変更を行う。ＰＲＡ値が０．６５未満であれば、Ｒ薬剤を中止し、第２のＶ薬剤を追加する。ＰＲＡ値が０．６５〜６．５であれば、第２のＲ薬剤を追加する。ＰＲＡ値が６．５を超えていれば、Ｖ薬剤を中止し、第２のＲ薬剤を追加する。
【００９２】
図４に示すように、Ｒ型に分類され、ＰＲＡ値が１．６ｎｇ／ｍｌ／ｈｒを超える患者では、来院日２に、低用量のＲ薬剤の投与を始めるのではなく、高血圧の原因となっている原発性腎血管性高血圧がないかどうかを確かめるという異なる治療プロトコルを適用する。ＰＲＡ値が１．６を超えていれば、来院日３にカプトプリル検査を実施する。カプトプリル検査が陰性であれば、上の来院日２で述べた低用量のＲ薬剤の投与を開始する必要がある。その後、上の来院日３〜６で述べた段階を続ける。来院日３に実施したカプトプリル検査の結果が陽性であれば、来院日４に腎静脈血採取を行う。来院日４に実施した腎静脈血レニン測定の結果が陰性であれば、上の来院日２で述べた低用量のＲ薬剤の投与を開始する必要がある。その後、上の来院日３〜６で述べた段階を続ける。来院日４に実施した腎静脈血レニン測定の結果が陰性でなければ、来院日５に腎血管造影を行う。来院日５に実施した腎血管造影の結果が陰性であれば、上の来院日２で述べた低用量のＲ薬剤の投与を開始する必要がある。その後、上の来院日３〜６で述べた段階を続ける。来院日５に実施した腎血管造影の結果が陰性でなければ、来院日６に腎血管形成術又は外科的血行再建術を行い、術後のフォローアップを行って、その後ルーチンなフォローアップを行う。
【００９３】
【表６】
2004508546.tif 000007
【００９４】
図４及び上の表６は、新たな又は未治療の患者に対して、一連の来院日のなかでＰＲＡ検査、検査結果の分析及び検査結果に基づく薬剤変更の実施に関する予定を設定するＬａｒａｇｈ Ｍｅｔｈｏｄの典型的な実施形態の概要を示すものである。図４及び表６に示すように、血漿レニン（ＰＲＡ）値が０．６５ｎｇ／ｍｌ／ｈｒ以上の未治療の高血圧患者は、レニン値の高さの程度に比例して、高血圧におけるレニン−アンギオテンシン因子を有する可能性が高い。逆に、ＰＲＡ値が低い（０．６５ｎｇ／ｍｌ／ｈｒ未満）患者は、（ＰＲＡ値の低さに応じて）過剰なナトリウム量の貯留に起因する高血圧を来している可能性が高い。こうした患者では、レニン因子の低さが、ナトリウム量過剰の程度を示している。高血圧患者における過剰なレニンは、ナトリウム量が過剰な場合よりも高い血管障害を有し、レニン−アンギオテンシンはナトリウム量よりも本態性高血圧の原因になっていることが多いことから、ＰＲＡ値が０．６５ｎｇ／ｍｌ／ｈｒ以上の患者にはすべてレニン・アンギオテンシン系を遮断する薬剤を最初に投与するべきである。なぜなら、この投与が奏効すれば、長期にわたって心血管の損傷を防ぐことのできる可能性が高いためである。すでに述べた理由から、ＰＲＡ値が０．６５ｎｇ／ｍｌ／ｈｒ未満の患者にはまずＶ薬剤を投与すべきである。
【００９５】
［プロトコルＩＩ：以前の治療が奏効しなかった患者の治療指針のための血漿レニン活性（ＰＲＡ）の使用］
図５及び下の表７に示すように、以前の治療が奏効しなかった高血圧患者に対し、どの薬剤又は複数の薬剤を選択するのかを判定するのには、Ｌａｒａｇｈ Ｍｅｔｈｏｄの異なる典型的な実施形態がきわめて有用である。Ｌａｒａｇｈ Ｍｅｔｈｏｄは、（ａ）１種類以上のＶ薬剤を投与する患者、（ｂ）１種類以上のＲ薬剤を投与する患者、又は（ｃ）１種類以上のＲ薬剤及びＶ薬剤を投与する患者に使用することができる。プロトコルＩと同じく、プロトコルＩＩの典型的な実施形態は、一連の段階及び来院日からなる。
【００９６】
来院日１に（プロトコルＩと同じく）、ＢＰを測定し、採血してＰＲＡ値を測定する。来院日２の適切な措置はＰＲＡ値に左右される。ＰＲＡが０．６５ｎｇ／ｍｌ／ｈｒ未満であり、その患者がＶ薬剤のみを投与されている場合は、その患者をプロトコルＩのＶ型の場合の来院日３又は４の通りに治療することができる（図４）。ＰＲＡが０．６５ｎｇ／ｍｌ／ｈｒ未満であり、その患者がＲ薬剤のみを投与されている場合は、Ｒ薬剤を中止し、指示されるＶ薬剤を投与する。来院日３に再度ＢＰ測定を行う。ＢＰがコントロールされていれば、以降の来院日ではルーチンなフォローアップを行う。ＢＰがコントロールされていなければ、プロトコルＩのＶ型の場合の来院日３の通りに治療する。ＰＲＡが０．６５ｎｇ／ｍｌ／ｈｒ未満であり、その患者がＶ薬剤及びＲ薬剤の両方を投与されている場合は、プロトコルＩの来院日６の通りに治療する。
【００９７】
プロトコルＩＩの患者が、来院日２にＰＲＡが０．６５〜６．５であり、その患者がＶ薬剤のみを投与されている場合は、プロトコルＩのＶ型の場合の来院日３又は４の通りに治療する。プロトコルＩＩの患者が、来院日２にＰＲＡが０．６５〜６．５であり、その患者がＲ薬剤のみを投与されている場合は、プロトコルＩのＲ型の場合の来院日３又は４の通りに治療する。プロトコルＩＩの患者が、来院日２にＰＲＡが０．６５〜６．５であり、その患者がＶ薬剤及びＲ薬剤の両方を投与されている場合は、プロトコルＩの来院日６の通りに治療する。
【００９８】
ＰＲＡが６．５を超えており、Ｖ薬剤のみを投与されている場合は、Ｖ薬剤を中止し、指示されるＲ薬剤を投与する。来院日３に再度ＢＰ測定を行う。ＢＰがコントロールされていれば、以降の来院日ではルーチンなフォローアップを行う。ＢＰがコントロールされていなければ、プロトコルＩのＲ型の場合の来院日３の通りに治療する。ＰＲＡが６．５を超えており、Ｒ薬剤のみを投与されている場合は、プロトコルＩのＲ型の場合の来院日３又は４の通りに治療する。ＰＲＡが６．５を超えており、その患者がＶ薬剤及びＲ薬剤の両方を投与されている場合は、プロトコルＩの来院日６の通りに治療する。
【００９９】
【表７】
2004508546.tif 000008
【０１００】
［プロトコルＩＩＡ：Ｖ薬剤が奏効しなかった高血圧患者］
一般的には、図５及び表７に示すように、Ｌａｒａｇｈ Ｍｅｔｈｏｄでは単剤のＶ薬剤の用量調整を行っている患者は、ＰＲＡが０．６５ｎｇ／ｍｌ／ｈｒ未満になるまで、最大用量まで増量を行うべきである。こうした患者では依然としてナトリウム量因子が働いており、それが高血圧状態をもたらしている。レニン値が低い患者にレニン因子が存在しているとは考えにくいため、何らかのＶ薬剤を投与されており、ＰＲＡ値が０．６５ｎｇ／ｍｌ／ｈｒ未満であって高血圧状態から回復しない患者は、いかなるＲ薬剤にも反応するとは考えにくい。したがって、最大用量のＶ薬剤がすでに試みられている場合は、コンプライアンスが良好であると仮定すると、異なる作用機序を有するＶ薬剤を追加すべきである。Ｌａｒａｇｈ Ｍｅｔｈｏｄの典型的な実施形態においては、利尿薬をＳＡＲＡに追加するか、その逆を行い、その後α遮断薬又はＣＣＢを利尿薬又はＳＡＲＡに追加することができる。
【０１０１】
その高血圧患者がＶ薬剤を投与されているかいないかに関係なく、ＰＲＡ値が高いほど、その患者は高血圧の原因となるレニン因子を有している可能性が高くなる。こうした治療が奏効しない患者がすでに最大用量のＶ薬剤を投与されている場合、Ｌａｒａｇｈ Ｍｅｔｈｏｄは、ＰＲＡ値が０．６５ｎｇ／ｍｌ／ｈｒ以上であれば、Ｒ薬剤を追加すべきであるとする。しかし、ＰＲＡ値が６．５ｎｇ／ｍｌ／ｈｒ以上である場合、Ｌａｒａｇｈ Ｍｅｔｈｏｄは利尿薬を中止して、Ｒ薬剤の投与を開始すべきであるとする。このような高いレニン値は、なんらかの脱水状態を示すものであるからである。
【０１０２】
［プロトコルＩＩＢ：Ｒ薬剤が奏効しなかった高血圧患者］
何らかの薬剤の投与を受けており、レニン値が低い患者にレニン因子が存在しているとは考えにくいため（β遮断薬の投与を受けている場合を除く）、Ｌａｒａｇｈ Ｍｅｔｈｏｄは、最大用量のＣＥＩ又はＡＲＢの投与を受けており、ＰＲＡ値が０．６５ｎｇ／ｍｌ／ｈｒ未満であって、高血圧状態から回復しない患者は、Ｖ薬剤に切り替えるべきとする。Ｒ薬剤の用量が最大用量ではなく、ＰＲＡ値が０．６５ｎｇ／ｍｌ／ｈｒ以上である患者では、プロトコルＩのＲ型の場合の来院日４に戻る前に、まず増量を試みるか、別のＲ薬剤を追加するか、又はその両方を行う価値はある。
【０１０３】
Ｌａｒａｇｈ Ｍｅｔｈｏｄの典型的な実施形態に従えば、ＰＲＡ値が０．６５ｎｇ／ｍｌ／ｈｒ以上で、最大用量のあらゆるＲ薬剤（ＣＥＩ、ＡＲＢ又はβ遮断薬）が奏効しない患者には、ＰＲＡ値が６．５ｎｇ／ｍｌ／ｈｒに達しない限りはＶ薬剤を追加すべきである。この値を超える患者は、第２のＲ薬剤の投与を行うべきである。３種類のＲ薬剤はすべてレニン−アンギオテンシン系を遮断する薬剤であるとはいえ、その作用部位は異なり、レニン系の阻害に相加効果を発揮することがあるためである。このように、ＣＥＩ及びＡＲＢのいずれもが、推奨最大用量においても完全なレニン系の遮断薬とはいえず、レニン分泌の反応性の上昇が、これらの薬剤のレニン系遮断作用の有効性を上回るか、弱めることがある。さらに、β遮断薬はレニン放出を促すβアドレナリン作用を阻害し、レニン系を異なる部位から遮断するＣＥＩ又はＡＲＢ又はその両方によって実現されたレニン系の遮断を、さらに強めるために必要になることがある。
【０１０４】
［プロトコルＩＩＣ：１種類以上のＲ及びＶ薬剤が奏効しなかった高血圧患者］
図５及び表７に示すＬａｒａｇｈ Ｍｅｔｈｏｄの典型的な実施形態に従えば、この状況には初回の来院日に実施したＰＲＡ検査が、いずれの機序が優勢であるかを明らかにしてくれるため、きわめて有用である。ＰＲＡが０．６５未満であるということは、過剰なナトリウム量が存在することをはっきりと示しており、その患者は主としてナトリウム量の問題を有するとして治療するべきである。Ｒ薬剤は中止し、第２のＶ薬剤を追加すべきである。逆に、ＰＲＡが０．６５〜６．５である場合は、第２のＲ薬剤を追加して、レニンを抑える側の治療を強化する必要がある。６．５ｎｇ／ｍｌ／ｈｒを超える場合は、Ｖ薬剤は過剰な反応性のレニン分泌を引き起こす可能性があるため、投与を中止すべきである。必要な場合は、第２のＶ薬剤を追加できる。
【０１０５】
要約すれば、Ｌａｒａｇｈ Ｍｅｔｈｏｄの典型的な実施形態が示す治療戦略とは、ＰＲＡが０．６５未満ではＶ方式を強化し、レニンを抑える薬剤を中止する。ＰＲＡが６．５〜０．６５であれば、Ｒ薬剤を追加すべきである。ただし、ＰＲＡが６．５以上の患者では、利尿薬の投与を中止し、Ｒ方式を強化する。こうした高レニン値は通常、ナトリウム量の喪失及び過剰なレニンの反応性の分泌を伴っているためである。
【０１０６】
［投薬後のＰＲＡ値に基づく、Ｖ薬剤を投与している患者に関して示唆される治療変更方法］
図２と同じ患者群で、血圧を良好にコントロールできなかった患者に示唆される治療変更方法を図６に示す。実線（図２にも示される）及び破線は、治療の第１及び第２の変更がそれぞれもたらしたＰＲＡ及びＢＰの変化を示す。
【０１０７】
投薬後のＰＲＡ値が０．６５ｎｇ／ｍｌ／ｈｒ未満で、利尿薬を服用している患者のほとんどで、治療は奏効しているようである。さらにＢＰを低下させる必要があれば、第２のＶ薬剤を追加すべきである。
【０１０８】
Ｖ薬剤を投与されておりＰＲＡ値が０．６５〜６．５ｎｇ／ｍｌ／ｈｒである患者では、ナトリウム量及び血管収縮因子の両方が高血圧の原因となっていると考えられるため、Ｖ薬剤にＲ薬剤を追加することで最も効果が得られる可能性が高い。
【０１０９】
Ｖ薬剤を投与されておりＰＲＡ値が６．５ｎｇ／ｍｌ／ｈｒを超える患者では、利尿薬によってＰＲＡが反応性に大きく上昇していると考えられる。Ｒ薬剤を追加すれば、ＰＲＡ値がさらに上昇し、それがレニン系の遮断効果を上回るおそれも大きい。こうした患者では、Ｖ薬剤を中止して、Ｒ薬剤の投与を開始すべきである。こうした患者では、場合によってはＢＰを完全にコントロールするため、第２のＲ薬剤が必要になる可能性もある（点線）。腎血管性高血圧は、反応性の高いレニン値を示す患者に多く認められる。
【０１１０】
［投薬後のＰＲＡ値に基づく、Ｒ薬剤を投与している患者に関して示唆される治療変更方法］
図３と同じ仮の患者群で、血圧を良好にコントロールできなかった患者に示唆される治療変更方法を図７に示す。実線は、第１の治療がもたらしたＰＲＡ及びＢＰの変化を示す（図３にも示される）。破線は、示唆される治療法の変更がもたらすＰＲＡ及びＢＰの変化を示す。実線の矢印の先端は、さらなる治療の必要を判定するのに用いたＰＲＡ（及びＢＰ）値を示す。
【０１１１】
投薬後のＰＲＡ値が０．６５ｎｇ／ｍｌ／ｈｒ未満で、治療が奏効していない患者では、Ｖ薬剤に切り替えるべきである。投薬後の低いＰＲＡ値は、Ｒ薬剤が奏効しなかったことを示す。
【０１１２】
ＰＲＡ値が０．６５〜６．５ｎｇ／ｍｌ／ｈｒであり、治療が奏効していない患者では、ナトリウム量及び血管収縮因子の両方が高血圧の原因となっていると考えられるため、Ｖ薬剤及びＲ薬剤の併用療法で最も効果が得られる可能性が高い。
【０１１３】
ＰＲＡ値が６．５ｎｇ／ｍｌ／ｈｒを超え、治療が奏効していない患者では、Ｒ薬剤によりＰＲＡが反応性に上昇して、レニン系遮断作用を上回ったと考えられる。こうした患者では、Ｖ薬剤の追加はさらにＰＲＡを大きく上昇させるおそれがあるため、適応とされない。これが、この場合に第２のＲ薬剤の追加が適応とされる理由である。
【０１１４】
［Ｌａｒａｇｈ Ｍｅｔｈｏｄは高血圧発作の評価及び治療に用いることができる。］
高血圧発作の評価及び治療に応用した場合のＬａｒａｇｈ Ｍｅｔｈｏｄは、血圧の修復が唯一の治療標的であるという仮定におそらくは基づき、これだけを目的にした従来の治療計画よりも優れている。しかし、従来の治療計画が、因果関係の機序を迅速に確認できないという欠陥を有するのに対して、本発明の実施形態では、血漿レニン検査を直ちに行い、因果関係の機序を解明してさらに特異的な薬物療法を明らかにするための特異的な薬理学的プローブに血圧が反応することによって、因果関係の機序を迅速に確認することができる。
【０１１５】
Ｌａｒａｇｈ Ｍｅｔｈｏｄとは異なり、従来推奨されてきた方法は静注ニトロプルシド又は静注又は経口カルシウムチャネル拮抗薬に大きく頼ったものである。いずれの薬剤も実際に高い血圧を直ちに部分的に少なくとも低下させることから、魅力的ではある。しかし、同時に機序に関する診断がなされていない場合は、レニン−アンギオテンシン及びナトリウム量といった基本的な因果関係の機序に関する重要な診断情報を得るために用いることができていたかもしれない貴重な時間が失われる。さらに、ニトロプルシドを用いる場合は、手間のかかる手技に起因する重大なリスク及びそれに伴う高いコストが、迅速な因果関係の判定という総体的な目標にマイナスに働く。つまり、過剰なレニン−アンギオテンシンが、高血圧発作及びそれに伴う重度の心、脳及び腎における心血管損傷の単一の原因となっていることが多いため、ニトロプルシド又はＣＣＢのいずれかを最初に使用すると、しばしば時間を浪費することになり、その間血圧は一時的に低下することもあるが、確定診断を得ることはできない。これにより、医師は患者を治療するのに不可避となる適切な種類の薬剤への切り替えの計画を立てることができなくなる。
【０１１６】
高血圧に起因する障害は、軽度の慢性の単純性高血圧から、さらに重度で複雑性の高血圧症候群、及び最も重度である高血圧性緊急症又は高血圧性急迫症と呼ばれる疾患まで幅広い。これらの緊急性の重度の高血圧状態の症状は多岐にわたっているが、すべて軽度又は進行の遅い慢性高血圧症の持続にも関与しているのと同じ病態生理（レニンによる血管収縮及びナトリウム量による昇圧機序）が関与している。
【０１１７】
高血圧発作を来した患者で機序の診断を行い、適切な薬物療法を選択するため、Ｌａｒａｇｈ Ｍｅｔｈｏｄで実行される基本的な治療戦略及び手法も、軽度の高血圧の評価に適用するものと原則として同じである。ただし、機序の診断を行い、できるだけ迅速かつ「早送り」方式で適切な薬物療法を行うため、変更を加える。このように、軽度の高血圧状態におけるのと同じく、Ｌａｒａｇｈ Ｍｅｔｈｏｄは高血圧状態を持続させている２つの経路、すなわち血漿レニン−アンギオテンシン血管収縮因子及びナトリウム量因子の存在及び程度の評価が関与する、緊急症又は急迫症への最も有効なアプローチを提供する。
【０１１８】
ＪＮＣ（高血圧の予防、検出、評価及び治療に関する合同委員会）は、高血圧発作を高血圧性「緊急症」又は「急迫症」のいずれかに分類している。下の表８に、高血圧性緊急症又は高血圧性急迫症に分類されるいくつかの高血圧発作を挙げる。高血圧性緊急症は、卒中、心臓発作、心不全又は腎不全による致死性の可能性のある標的臓器の損傷リスクを防ぐか低減するため、血圧を即刻下げる（必ずしも正常値までではない）必要がある状態である。高血圧性急迫症は、数時間以内にＢＰを低下させるのが望ましい状態である。例としては、ステージ３以上の高血圧、乳頭浮腫を伴う高血圧、進行性の標的臓器合併症及び周術期の重度の高血圧が挙げられる。
【０１１９】
【表８】
2004508546.tif 000009
【０１２０】
下の表９は、既知の高血圧性緊急症又は急迫症のほぼすべてを列記したもので、その因果関係又は維持に対するレニン−アンギオテンシン又はナトリウム量の関与についての既知の知見を含む。また、過剰な神経−副腎ホルモン活性に起因する状態、過剰な中枢作用性又は副腎髄質によるノルアドレナリン、アドレナリンのいずれか、又はその両方のカテコラミンの放出と関連した状態も含まれる。カテコラミンによる昇圧作用の大半は、腎血管の収縮をもたらし、それによって腎のレニン−アンギオテンシンの放出が過剰となる。
【０１２１】
【表９】
2004508546.tif 000010
【０１２２】
Ｌａｒａｇｈ Ｍｅｔｈｏｄは、例えば表８及び９に示すような高血圧性緊急症及び急迫症を迅速に評価及び治療するためのプロトコルを提供する。高血圧性発作の治療過程を迅速にするための典型的な実施形態において、Ｌａｒａｇｈ Ｍｅｔｈｏｄは、まずルーチンなパラメータによる血液検査によって血漿レニン活性（ＰＲＡ）及び血漿カテコラミン値を測定することから始める（この体系的なアプローチの典型的な実施形態を示す下の表１０を参照のこと）。その後直ちに、最初はレニン値を抑えるＲ薬剤、最も好ましくは静注エナラプリラート又は経口カプトプリル５０ｍｇを投与した後、３０〜６０分の間隔で血圧をルーチンに測定する。軽度の高血圧では、大きな反応が認められた場合は血漿レニン−アンギオテンシン値の関与が、反応が認められない場合はナトリウム量の関与が示唆される。
【０１２３】
【表１０】
2004508546.tif 000011
【０１２４】
第２の薬理学的検査段階は、臨床上問題ない場合は、カテコラミン（アドレナリン又はノルアドレナリン）に起因する高血圧と、いずれもカテコラミンの放出を促す、副腎腫瘍（褐色細胞腫など）又はコカイン乱用又はクロニジン又はメチルドパの禁断症状との鑑別を迅速に行うためのものである。事実、褐色細胞腫で一様に腎からのレニン放出が促進されるように、血漿カテコラミン値は急上昇し、この高血圧の大きな要因となり、薬物療法の対象となる。この第２段階では、最も好ましくはα及びβ遮断を行う組み合わせ剤である静注フェントラミンとエスモロールを、あるいは最も好ましくは組み合わせα−β遮断薬である静注ラベタロールを薬理学的プローブとして用いる。血圧が大きく反応する場合は、神経因子（褐色細胞腫など）が関与している。こうした症候群が臨床的に考えにくければ、カテコラミンの関与を調べる薬理学的検査は、保留又は除外してよい。
【０１２５】
好ましい実施形態において、次の薬剤検査段階は、最も好ましくは静注フロセミドを投与し、その後数時間で誘発されるナトリウム排泄増加に対する血圧の反応を観察することで、ナトリウム量因子の関与を評価するものである（下の表１１参照）。この検査は、特に最大用量のＲ薬剤を投与しても部分的な効果しか得られなかった場合には、第１段階に示したようなＲ薬剤の投与を継続しつつ行ってもよい。
【０１２６】
こうした薬理学的プローブへの反応の有無とともに、ベースラインの血漿レニン検査で（通常２４時間以内に）得られる結果によって、レニン又はナトリウム量因子の優勢度を評価し、それによって高血圧の原因となっている病態生理に関する情報を得ることができる。こうした種類の薬剤への反応が診断情報を提供する。すなわち、治療による診断である。治療施設又は患者で部分的な反応しかみられない場合は、フォローアップのレニン検査によって、第２又は第３の薬剤の選択を適切に行うための情報が得られる。
【０１２７】
Ｌａｒａｇｈ Ｍｅｔｈｏｄによって、医師は高血圧性発作の原因を種類分けすることができる。すなわち、発作はレニンによる血管収縮機序又はナトリウム量による昇圧機序のいずれかに起因する。こうして試みられた分類の結果は、ＰＲＡ値を得ることによって確認することができる。
【０１２８】
【表１１】
2004508546.tif 000012
【０１２９】
［対話型フォーマット］
異なる実施形態において、Ｌａｒａｇｈ Ｍｅｔｈｏｄは例えばインターネットのウェブサイト又はコンピュータプログラムなどの対話型フォーマットを介して用いることができる。こうした対話型フォーマットは、患者の既往歴、症状の特性、血圧及び臨床検査値などの患者情報を受け付けるように設定することができる。このＬａｒａｇｈ Ｍｅｔｈｏｄの実施形態は、臨床検査値及び上述の薬剤などの診断及び治療のための推奨事項を、ほぼ直ちに提供することが可能なように設定することができる。ウェブサイトなどの対話型の特性によって、看護従事者又はその他の準医師資格者が患者への問診及び臨床データの入力作業の多くを行うことができるため、こうした時間のかかる作業から医師を解放して、治療にかかる総体的なコストを低減することができる。
【０１３０】
Ｌａｒａｇｈ Ｍｅｔｈｏｄの対話型フォーマットの実施形態のさらなる利益とは、このフォーマットによって広範囲にわたる患者のデータを集計することができることである。こうした集計は、さらなる診断及び治療の推奨及び維持を行うのに有用である。
【０１３１】
対話型フォーマットの一例であるコンピュータプログラムは、血圧、前回の治療内容及びＰＲＡ検査値などをはじめとする患者の情報をユーザーに問いかけるものである。次にプログラムは、この情報を処理し、本明細書に記載のＬａｒａｇｈ Ｍｅｔｈｏｄに基づいてある治療計画を推奨する。次にコンピュータプログラムは、入力された情報、行った推奨事項及び１名以上の患者から得られた結果を集計して、有用なデータを提供する。コンピュータプログラムは、ディスク、ＣＤ−ＲＯＭ又はインターネットのウェブサイトを介してコンピュータに読み込めるフォーマットで提供することができる。
【０１３２】
［データ分析、収集及び処理］
本明細書に開示する発明は、患者データの分析、収集及び処理による、高血圧の試験及び分析方法に応用することもできる。これらの方法の具体的な実施形態を下に示す。本明細書に挙げたデータ（ＰＲＡ値、血圧及びその他の検査結果など）を収集し、本明細書に示すようにデータを処理し（患者のＰＲＡ値を既知の値と比較する、投与前及び投与後のＰＲＡ値を比較する、患者の血圧を既知の値と比較する、投与前及び投与後の血圧を比較する、その他の検査結果を既知の値又は前回の測定値と比較するなど）、その後本明細書に示すようにデータを分析（本明細書に示す種々の薬剤の投与前、投与後のＰＲＡ、血圧及びその他の検査結果をもとに、ＰＲＡ値の変化又は血圧の変化に関する処理データを分析するなど）することによって、個々の患者の有用な分析を実施し、個々の患者、患者が属する集団又は一般の患者に関する情報をさらに深く知ることができる。この情報を使用して、患者の予後、奏効する治療及び計画、公衆衛生情報、疫学的使用及び診断の向上を推定することができる。
【０１３３】
本明細書に開示するデータの分析方法の考えうる利点は、患者の直接的な検査を必要としないことである。分析に必要なデータは患者のカルテから収集することができる。あるいは、データは本明細書に示すように、必要に応じて患者から得ることもできる。
【０１３４】
研究目的で収集される患者データの分析結果は、特定の患者又は患者分類のための治療プロトコルを作成するために用いることができる。典型的な実施形態において、Ｌａｒａｇｈ Ｍｅｔｈｏｄは高血圧患者のデータを、患者のＰＲＡ値を記録し、１剤以上のＲ薬剤、１剤以上のＶ薬剤又は１剤以上のＲ及びＶ薬剤の組み合わせを服用した後の血圧を記録することによって分析する方法を提供する。これとは異なる典型的な実施形態において、Ｌａｒａｇｈ Ｍｅｔｈｏｄは、すでにＰＲＡ値が低い又は高いことが分かっている患者のデータを分析するために用いることができる。
【０１３５】
また、Ｌａｒａｇｈ Ｍｅｔｈｏｄは、高血圧性発作を来した患者のデータを分析するためにも用いることができる。ある実施形態においては、１剤以上のＲ薬剤、１剤以上のＶ薬剤又は１剤以上のＲ及びＶ薬剤の組み合わせを服用した後の患者の血圧を記録する。
【０１３６】
高血圧患者又は高血圧性発作を来した患者のデータを分析する場合、Ｌａｒａｇｈ Ｍｅｔｈｏｄを用いて、治療計画の適切な選択及び適切な診断の両方を実現することができる。特定の実施形態では、Ｒ薬剤又はＶ薬剤は治療目的ではなく、医師が例えば適切な診断及び適切な治療計画を決めるため、患者の反応を評価するために投与されることがあることに留意すべきである。Ｌａｒａｇｈ Ｍｅｔｈｏｄは、医師が高血圧患者に対して広範囲にわたる原因のなかから診断を行うことができるようにするためデータを分析する、すなわち、例えば医師に高血圧は主として一方では高ＰＲＡ値、もう一方では多量のナトリウムに起因して起こることを知らせるのに特に有用である。
【０１３７】
［結論］
歩行可能な患者におけるベースラインの血漿レニン値及び抗高血圧薬に対する種々の意義のある血漿レニン値の反応パターンを知り、理解することによって、医師は個々の患者に対する最も単純で、合理的で、「ぴったり合った」薬剤又は薬剤投与プログラムを見つけ出すことが容易になる。高血圧においては長期治療が必要となるため、目標は、２剤使用のところを１剤使用に、３剤使用のところを２剤使用にすることである。Ｌａｒａｇｈ Ｍｅｔｈｏｄは最初にわずかな時間をかけて、各患者に最適な薬剤投与プログラムを決定することで、有効性、簡便性、コスト及びコンプライアンスの点で大きな利益を上げることを可能にする。長い目で見れば、適切な治療は、合理的な治療過程における相互関係によって医師と患者に満足感を生むことは無論のこと、重篤な、時に致死的な心血管疾患の究極的な予防にもつながる。
【０１３８】
本明細書に記載するＬａｒａｇｈ Ｍｅｔｈｏｄは、各患者にとって最も単純かつ最良の投薬プログラムを医師が決定することを可能にする。このシステムの意思決定の樹状図は、未治療の新たな高血圧患者に対するものであるのと同時に、すでに投薬されているが、血圧が十分に低下していないか、副作用を含む臨床上の理由により、又は投薬内容が複雑であるためコンプライアンスが不良であるという理由により、投薬内容を変更すべきである患者に対するものでもある。また、Ｌａｒａｇｈ Ｍｅｔｈｏｄは高血圧性発作の評価及び治療にも応用することができる。Ｌａｒａｇｈ Ｍｅｔｈｏｄは本明細書で多数の特別な実施例が記載されている。当業者は、この特定の実施例のいくつかを変更してさらにこの手法を応用し、さらに優れた結果を活用することができることを理解するであろう。
【０１３９】
下に挙げる番号付きの実施例は、本発明の種々の側面をさらに例示するためのものである。
【０１４０】
［実施例１］　高血圧患者の治療方法：
Ａ　各患者の血漿レニン活性（ＰＲＡ）を測定し、
Ｂ　患者のＰＲＡが０．６５以上であれば、
ｉ　低用量のＲ薬剤を処方する、
ｉｉ　Ｂ（ｉ）の後に患者の血圧（ＢＰ）が十分にコントロールできなければ、Ｒ薬剤の用量を増量する、
ｉｉｉ　Ｂ（ｉｉ）の後にも患者のＢＰが十分にコントロールできなければ、Ｒ薬剤に追加して低用量のＶ薬剤を処方する、
ｉｖ　Ｂ（ｉｉｉ）の後にも患者のＢＰが十分にコントロールできなければ、Ｖ薬剤の用量を増量し、ＰＲＡを測定する、
ｖ　Ｂ（ｉｖ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える、
Ｃ　患者のＰＲＡが０．６５未満であれば、
ｉ　低用量のＶ薬剤を処方する、
ｉｉ　Ｃ（ｉ）の後に患者の血圧（ＢＰ）が十分にコントロールできなければ、Ｖ薬剤の用量を増量する、
ｉｉｉ　Ｃ（ｉｉ）の後にも患者のＢＰが十分にコントロールできなければ、Ｖ薬剤に追加して低用量のＲ薬剤を処方する、
ｉｖ　Ｃ（ｉｉｉ）の後にも患者のＢＰが十分にコントロールできなければ、Ｒ薬剤の用量を増量し、ＰＲＡを測定する、
ｖ　Ｃ（ｉｖ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える。
【０１４１】
［実施例２］　血漿レニン活性（ＰＲＡ）が０．６５以上の高血圧患者の治療方法：
Ａ　低用量のＲ薬剤を処方する、
Ｂ　Ａの後に患者の血圧（ＢＰ）が十分にコントロールできなければ、Ｒ薬剤の用量を増量する、
Ｃ　Ｂの後にも患者のＢＰが十分にコントロールできなければ、Ｒ薬剤に追加して低用量のＶ薬剤を処方する、
Ｄ　Ｃの後にも患者のＢＰが十分にコントロールできなければ、Ｖ薬剤の用量を増量し、ＰＲＡを測定する、
Ｅ　Ｄの後にも患者のＢＰが十分にコントロールできない場合、
ｉ　ＰＲＡが０．６５未満であれば、Ｒ薬剤を第２のＶ薬剤に切り替える、
ｉｉ　ＰＲＡが０．６５以上６．５未満であれば、第２のＲ薬剤を処方する、
ｉｉｉ　ＰＲＡが６．５以上であれば、Ｖ薬剤を第２のＲ薬剤に切り替える。
【０１４２】
［実施例３］　血漿レニン活性（ＰＲＡ）が０．６５未満の高血圧患者の治療方法：
Ａ　低用量のＶ薬剤を処方する、
Ｂ　Ａの後に患者の血圧（ＢＰ）が十分にコントロールできなければ、Ｖ薬剤の用量を増量する、
Ｃ　Ｂの後にも患者のＢＰが十分にコントロールできなければ、Ｖ薬剤に追加して低用量のＲ薬剤を処方する、
Ｄ　Ｃの後にも患者のＢＰが十分にコントロールできなければ、Ｒ薬剤の用量を増量し、ＰＲＡを測定する、
Ｅ　Ｄの後にも患者のＢＰが十分にコントロールできない場合、
ｉ　ＰＲＡが０．６５未満であれば、Ｒ薬剤を第２のＶ薬剤に切り替える、
ｉｉ　ＰＲＡが０．６５以上６．５未満であれば、第２のＲ薬剤を処方する、
ｉｉｉ　ＰＲＡが６．５以上であれば、Ｖ薬剤を第２のＲ薬剤に切り替える。
【０１４３】
［実施例４］　根治可能な高血圧の治療及び診断方法：
Ａ　各患者の血漿レニン活性（ＰＲＡ）を測定する、
Ｂ　ＰＲＡが０．６５未満であれば、低カリウム血症の検査を指示する、
ｉ　患者が低カリウム血症であれば、２４時間尿アルドステロン検査を指示する、
ｉｉ　尿中アルドステロン値が高ければ、副腎ＣＴ検査及び副腎静脈血採取を指示し、副腎ＣＴ検査及び副腎静脈血検査でアルドステロン陽性が認められれば、片側副腎摘出を指示し、それ以外はＢ（ｉｉ）に進む、
ｉｉｉ　尿中アルドステロン値が高くなければ、Ｂ（ｉｉ）に進む、
ｉｖ　患者が低カリウム血症でないか、Ｂ（ｉ）でこの段階に進むように指示される場合、低用量のＶ薬剤を処方し、血圧（ＢＰ）を測定し、ＢＰが十分にコントロールできなければ、Ｖ薬剤の用量を増量する、
ｖ　Ｂ（ｉｉ）の後にも患者のＢＰが十分にコントロールできなければ、Ｖ薬剤に追加して低用量のＲ薬剤を処方する、
ｖｉ　Ｂ（ｉｉｉ）の後にも患者のＢＰが十分にコントロールできなければ、Ｒ薬剤の用量を増量し、ＰＲＡを測定する、
ｖｉｉ　Ｂ（ｉｖ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える、
Ｃ　ＰＲＡが１．６以上であれば、カプトプリル検査を指示する、
ｉ　カプトプリル検査結果が陰性であればＤ（ｉ）に進み、それ以外は腎血管造影を指示する、
ｉｉ　腎静脈血検査結果が陰性であればＤ（ｉ）に進み、それ以外は腎血管造影を指示する、
ｉｉｉ　腎血管造影結果が陰性であればＤ（ｉ）に進み、それ以外は腎血管形成術又は外科的血行再建術を指示する、
Ｄ　ＰＲＡが０．６５以上１．６未満であれば、
ｉ　低用量のＲ薬剤を処方し、ＢＰを測定して、ＢＰが十分にコントロールできなければ、Ｒ薬剤の用量を増量する、
ｉｉ　Ｄ（ｉ）の後にもＢＰが十分にコントロールできなければ、Ｒ薬剤に追加して低用量のＶ薬剤を処方する、
ｉｉｉ　Ｄ（ｉｉ）の後にもＢＰが十分にコントロールできなければ、Ｖ薬剤の用量を増量し、ＰＲＡを測定する、
ｉｖ　Ｄ（ｉｉｉ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える。
【０１４４】
［実施例５］　Ｖ薬剤、Ｒ薬剤又はＶ及びＲ薬剤をともに使用した前回の投薬が奏効しなかった高血圧患者の治療方法：
Ａ　各患者の血漿レニン活性（ＰＲＡ）を測定する、
Ｂ　ＰＲＡが０．６５未満で、Ｖ薬剤を服用していた場合、
ｉ　Ｖ薬剤が低用量であれば用量を増量し、それ以外はＢ（ｉｉ）に進む、
ｉｉ　Ｂ（ｉ）の後にＢＰが十分にコントロールできなければ、Ｖ薬剤に追加して低用量のＲ薬剤を処方する、
ｉｉｉ　Ｂ（ｉｉ）の後にＢＰが十分にコントロールできなければ、Ｒ薬剤の用量を増量し、ＰＲＡを測定する、
ｉｖ　Ｂ（ｉｉｉ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える、
Ｃ　ＰＲＡが０．６５未満で、Ｒ薬剤を服用していた場合、
ｉ　Ｒ薬剤を処方する代わりに低用量のＶ薬剤を処方し、ＢＰを測定して、ＢＰが十分にコントロールできなければ、Ｖ薬剤の用量を増量する、
ｉｉ　Ｃ（ｉ）の後にＢＰが十分にコントロールできなければ、Ｖ薬剤に追加して低用量のＲ薬剤を処方する、
ｉｉｉ　Ｃ（ｉｉ）の後にＢＰが十分にコントロールできなければ、Ｒ薬剤の用量を増量し、ＰＲＡを測定する、
ｉｖ　Ｃ（ｉｉｉ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える、
Ｄ　ＰＲＡが０．６５未満で、Ｖ薬剤及びＲ薬剤を服用していた場合、
ｉ　ＰＲＡが０．６５未満であれば、Ｒ薬剤を第２のＶ薬剤に切り替える、
ｉｉ　ＰＲＡが０．６５以上６．５未満であれば、第２のＲ薬剤を処方する、
ｉｉｉ　ＰＲＡが６．５以上であれば、Ｖ薬剤を第２のＲ薬剤に切り替える、
Ｅ　ＰＲＡが０．６５以上６．５未満で、Ｖ薬剤を服用していた場合、
ｉ　Ｖ薬剤が低用量であれば用量を増量し、それ以外はＥ（ｉｉ）に進む、
ｉｉ　Ｅ（ｉ）の後にＢＰが十分にコントロールできなければ、Ｖ薬剤に追加して低用量のＲ薬剤を処方する、
ｉｉｉ　Ｅ（ｉｉ）の後にＢＰが十分にコントロールできなければ、Ｒ薬剤の用量を増量し、ＰＲＡを測定する、
ｉｖ　Ｅ（ｉｉｉ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える、
Ｆ　ＰＲＡが０．６５以上６．５未満で、Ｒ薬剤を服用していた場合、
ｉ　Ｒ薬剤が低用量であれば用量を増量し、それ以外はＦ（ｉｉ）に進む、
ｉｉ　Ｆ（ｉ）の後にＢＰが十分にコントロールできなければ、Ｒ薬剤に追加して低用量のＶ薬剤を処方する、
ｉｉｉ　Ｆ（ｉｉ）の後にＢＰが十分にコントロールできなければ、Ｖ薬剤の用量を増量し、ＰＲＡを測定する、
ｉｖ　Ｆ（ｉｉｉ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える、
Ｇ　ＰＲＡが０．６５以上６．５未満で、Ｖ薬剤及びＲ薬剤を服用していた場合、
ｉ　ＰＲＡが０．６５未満であれば、Ｒ薬剤を第２のＶ薬剤に切り替える、
ｉｉ　ＰＲＡが０．６５以上６．５未満であれば、第２のＲ薬剤を処方する、
ｉｉｉ　ＰＲＡが６．５以上であれば、Ｖ薬剤を第２のＲ薬剤に切り替える、
Ｈ　ＰＲＡが６．５以上で、Ｖ薬剤を服用していた場合、
ｉ　Ｖ薬剤を処方する代わりに低用量のＲ薬剤を処方し、ＢＰを測定して、ＢＰが十分にコントロールできなければ、Ｒ薬剤の用量を増量する、
ｉｉ　Ｈ（ｉ）の後にＢＰが十分にコントロールできなければ、Ｒ薬剤に追加して低用量のＶ薬剤を処方する、
ｉｉｉ　Ｈ（ｉｉ）の後にＢＰが十分にコントロールできなければ、Ｖ薬剤の用量を増量し、ＰＲＡを測定する、
ｉｖ　Ｈ（ｉｉｉ）の後にも患者のＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える、
Ｉ　ＰＲＡが６．５以上で、Ｒ薬剤を服用していた場合、
ｉ　Ｒ薬剤が低用量であれば用量を増量し、それ以外はＩ（ｉｉ）に進む、
ｉｉ　Ｉ（ｉ）の後にＢＰが十分にコントロールできなければ、Ｒ薬剤に追加して低用量のＶ薬剤を処方する、
ｉｉｉ　Ｉ（ｉｉ）の後にＢＰが十分にコントロールできなければ、Ｖ薬剤の用量を増量し、ＰＲＡを測定する、
ｉｖ　ＢＰが十分にコントロールできない場合、
ａ　ＰＲＡが０．６５未満であれば、Ｒ薬剤を第２のＶ薬剤に切り替える、
ｂ　ＰＲＡが０．６５以上６．５未満であれば、第２のＲ薬剤を処方する、
ｃ　ＰＲＡが６．５以上であれば、Ｖ薬剤を第２のＲ薬剤に切り替える、
Ｊ　ＰＲＡが６．５以上で、Ｖ薬剤及びＲ薬剤を服用していた場合、
ｉ　ＰＲＡが０．６５未満であれば、Ｒ薬剤を第２のＶ薬剤に切り替える、
ｉｉ　ＰＲＡが０．６５以上６．５未満であれば、第２のＲ薬剤を処方する、
ｉｉｉ　ＰＲＡが６．５以上であれば、Ｖ薬剤を第２のＲ薬剤に切り替える。
【０１４５】
［実施例６］　医師のもと、医院又は病院に来院する高血圧患者の治療方法：
初回の来院日に、各患者から採血を行い、血漿レニン活性（ＰＲＡ）検査を行う
２回目の来院日に、患者のＰＲＡが０．６５以上であれば低用量のＲ薬剤を、０．６５未満であれば低用量のＶ薬剤を処方する、
３回目の来院日に、患者の血圧（ＢＰ）を測定し、血圧が十分にコントロールできなければ、Ｒ薬剤又はＶ薬剤の用量を増量する、
４回目の来院日に、患者のＢＰを測定し、血圧が十分にコントロールできなければ、すでに服用しているＲ薬剤又はＶ薬剤に追加して、Ｒ薬剤の投与を受けている患者には低用量のＶ薬剤を、Ｖ薬剤の投与を受けている患者には低用量のＲ薬剤を処方する、
５回目の来院日に、患者のＢＰを測定し、血漿レニン活性（ＰＲＡ）検査のための採血を行い、血圧が十分にコントロールできなければ、ＰＲＡを測定して、高用量のＲ薬剤及び低用量のＶ薬剤を服用している患者のＶ薬剤の用量を増量し、高用量のＶ薬剤及び低用量のＲ薬剤を服用している患者のＲ薬剤の用量を増量する、
６回目の来院日に、患者のＢＰを測定し、血圧が十分にコントロールできない場合、
ＰＲＡが０．６５未満であれば、Ｒ薬剤を第２のＶ薬剤に切り替える、
ＰＲＡが０．６５以上６．５未満であれば、第２のＲ薬剤を処方する、
ＰＲＡが６．５以上であれば、Ｖ薬剤を第２のＲ薬剤に切り替える。
【０１４６】
［実施例７］　実施例６の方法において、ＰＲＡが１．６以上の患者に対し、第２の来院で、該方法を実施する前に、キャプトプリル（ｃａｐｔｏｐｒｉｌ）テスト、副腎静脈血採取、血管造影及びこれらの組合せからなる群から選択されたテストにより、腎血管性高血圧症を除外する。
【０１４７】
［実施例８］　実施例７の方法において、ＰＲＡが０．６５未満の患者に対し、該方法を実施する前に、低カリウムテスト、２４時間尿アルドステロンテスト、副腎ＣＴスキャン、副腎静脈血採取及びこれらの組合せからなる群から選択されたテストにより原発性アルドステロン症を除外する。
【０１４８】
［実施例９］　高血圧症患者が医院、診療所や病院で診療を受けたとき、Ｖ薬、Ｒ薬、あるいはこれらの両者を用いた前処置に適切に反応しない高血圧症患者を処置する方法：
最初の来院で、血漿レニン活動度（ＰＲＡ）テスト用に各患者から採血し、
第２の来院で、
ＰＲＡが０．６５未満のとき、
患者がＶ薬を摂取しているならば、Ｖ処置に従い、
患者がＲ薬を摂取しているならば、Ｖ薬に切り替え、そしてＢＰが尚適切に制御されていないならば、Ｖ処置に従い、
患者がＶ薬とＲ薬を摂取しているならば、第２の処置に従い、
ＰＲＡが０．６５以上６．５未満のとき、
患者がＶ薬を摂取しているならば、Ｖ処置に従い、
患者がＲ薬を摂取しているならば、Ｒ処置に従い、
患者がＶ薬とＲ薬を摂取しているならば、第２の処置に従い、
ＰＲＡが６．５以上のとき、
患者がＶ薬を摂取しているならば、低用量Ｒ薬に切り替え、そしてＢＰが適切に制御されていないならば、Ｒ処置に従い、
患者がＲ薬を摂取しているならば、Ｒ処置に従い、
患者がＶ薬とＲ薬を摂取しているならば、第２の処置に従い、
ここで、Ｖ処置は、Ｖ薬が低用量で摂取されているならば、Ｖ薬の用量を増大し、あるいはＶ薬に加えて低用量のＲ薬を処方し、ＢＰを測定し、そして、ＢＰが尚適切に制御されていなければ、Ｒ薬を増大して第２の処置に従うことからなり、
ここで、Ｒ処置は、Ｒ薬が低用量で摂取されているならば、Ｒ薬の用量を増大し、あるいはＲ薬に加えて低用量のＶ薬を処方し、ＢＰを測定し、そして、ＢＰが尚適切に制御されていなければ、Ｖ薬を増大して第２の処置に従うことからなり、
ここで、第２の処置は、ＢＰを測定し、そして、ＢＰが尚適切に制御されていなければ、ＰＲＡが０．６５未満のときは、Ｒ薬を第２のＶ薬の切り替え、ＰＲＡが０．６５以上６．５未満のときは、第２のＲ薬を処方し、ＰＲＡが６．５以上のＶ薬を第２のＲ薬に切り替えることからなる。
【０１４９】
［実施例１０］　実施例１から９のいずれかの方法による処置勧告を作るために、患者情報を受け入れ、処理するコンピュータが読み込み可能なフォーマットを含む高血圧症の処理に関するコンピュータプログラム。
【０１５０】
［実施例１１］　実施例１から９のいずれかの方法による処置勧告を作るために、患者情報を収集し、かつ、処理する双方向フォーマットを含む高血圧症の処理に関するインターネットウェブサイト。
【０１５１】
［実施例１２］　次の段階からなり、約０．６５ｎｇ／ｍｌ／ｈｒ未満のＰＲＡを有する高血圧症患者の処置方法、
ａ．　低用量Ｖ薬を患者に投与する；
ｂ．　段階（ａ）の後、患者のＢＰを測定し、患者のＢＰが制御されていなければ、増量した用量のＶ薬を患者に投与する；
ｃ．　段階（ｂ）の後、患者のＢＰを測定し、患者のＢＰが制御されていなければ、Ｖ薬に加えて、Ｒ薬を患者に投与する。
【０１５２】
［実施例１３］　前記段階（ｃ）の後、患者のＢＰを測定し、患者のＢＰが制御されていなければ、Ｖ薬に加えて、増量した用量のＲ薬を患者に投与することを、さらに包含する実施例１２の方法。
【０１５３】
［実施例１４］　患者のＰＲＡを測定することを、さらに包含する実施例１３の方法。
【０１５４】
［実施例１５］　患者のＰＲＡが約０．６５未満ならば、患者に第２のＶ薬を投与し、Ｒ薬の投与を中止することを、さらに包含する実施例１４の方法。
【０１５５】
［実施例１６］　患者のＰＲＡが約０．６５から約６．５の間であれば、患者に第２のＲ薬を投与することを、さらに包含する実施例１４の方法。
【０１５６】
［実施例１７］　患者のＰＲＡが約６．５を超えれば、患者に第２のＲ薬を投与し、Ｖ薬の投与を中止することを、さらに包含する実施例１４の方法。
【０１５７】
［実施例１８］　次の段階からなり、約０．６５ｎｇ／ｍｌ／ｈｒ以上のＰＲＡを有する高血圧症患者の処置方法、
ａ．　低用量Ｒ薬を患者に投与する；
ｂ．　段階（ａ）の後、患者のＢＰを測定し、患者のＢＰが制御されていなければ、増量した低用量Ｒ薬を患者に投与する；
ｃ．　段階（ｂ）の後、患者のＢＰを測定し、患者のＢＰが制御されていなければ、Ｒ薬に加えて、Ｖ薬を患者に投与する。
【０１５８】
［実施例１９］　前記段階（ｃ）の後、患者のＢＰを測定し、患者のＢＰが制御されていなければ、Ｒ薬に加えて、増量した用量のＶ薬を患者に投与することを、さらに包含する実施例１８の方法。
【０１５９】
［実施例２０］　患者のＰＲＡを測定することを、さらに包含する実施例１９の方法。
【０１６０】
［実施例２１］　患者のＰＲＡが約０．６５未満ならば、患者に第２のＶ薬を投与し、Ｒ薬の投与を中止することを、さらに包含する実施例２０の方法。
【０１６１】
［実施例２２］　患者のＰＲＡが包括的に約０．６５から６．５の間であれば、患者に第２のＲ薬を投与することを、さらに包含する実施例２０の方法。
【０１６２】
［実施例２３］　患者のＰＲＡが６．５を超えれば、患者に第２のＲ薬を投与し、Ｖ薬の投与を中止することを、さらに包含する実施例２０の方法。
【０１６３】
［実施例２４］　次の各段階からなり、高血圧症患者からのデータを解析する方法、
中から高レベルの血漿レニン活動度（ＰＲＡ）を有する高血圧症患者の処置方法、
Ａ．　低用量でＲ薬を処方し、
Ｂ．　Ａの後、患者の血圧（ＢＰ）が適当に制御されないのであれば、Ｒ薬の用量を増加し、
Ｃ．　Ｂの後、患者のＢＰが適当に制御されないのであれば、Ｒ薬に加えて、低用量のＶ薬を処方し、
Ｄ．　Ｃの後、患者のＢＰが適当に制御されないのであれば、Ｖ薬の用量を増加し、ＰＲＡを測定し、
Ｅ．　Ｄの後、患者のＢＰが適当に制御されないのであれば；
ｉ．ＰＲＡが低レベルならば、Ｒ薬をＶ薬に切替え；
ｉｉ．ＰＲＡが中レベルならば、第２のＲ薬を処方し；
ｉｉｉ．ＰＲＡが高レベルならば、Ｖ薬を第２のＲ薬に切り替える。
【０１６４】
［実施例２５］　次の各段階からなり、高血圧症患者からのデータを解析する方法、
低レベルの血漿レニン活動度（ＰＲＡ）を有する高血圧症患者の処置方法、
Ａ．　低用量でＶ薬を処方し、
Ｂ．　Ａの後、患者の血圧（ＢＰ）が適当に制御されないのであれば、Ｖ薬の用量を増加し、
Ｃ．　Ｂの後、患者のＢＰが適当に制御されないのであれば、Ｖ薬に加えて、低用量のＲ薬を処方し、
Ｄ．　Ｃの後、患者のＢＰが適当に制御されないのであれば、Ｒ薬の用量を増加し、ＰＲＡを測定し、
Ｅ．　Ｄの後、患者のＢＰが適当に制御されないのであれば；
ｉ．ＰＲＡが低レベルならば、Ｒ薬を第２のＶ薬に切替え；
ｉｉ．ＰＲＡが中レベルならば、第２のＲ薬を処方し；
ｉｉｉ．ＰＲＡが高レベルならば、Ｖ薬を第２のＲ薬に切り替える。
【０１６５】
［実施例２６］　患者の血漿レニン活動度が、シーレイララテスト（Ｓｅａｌｅｙ　ａｎｄ　Ｌａｒａｇｈ　ｔｅｓｔ）により測定されることを特徴とする実施例１から６のいずれかによる高血圧症患者の処理方法。
【０１６６】
［実施例２７］　次の段階からなり、高血圧症経験のある患者を処置および評価するための方法、
ａ．　患者の血漿レニン活動度（ＰＲＡ）のベースラインレベルを決定するために、患者から血液を採ることを含むベースライン臨床プロファイルを得て、
ｂ．　（ｉ）少なくとも１つの抗レニン薬を投与し、
患者の血圧が段階ｂ（ｉ）の後、応答しないのであれば、
（ｉｉ）少なくとも１つの抗ナトリウム量薬を投与し、
ｃ．　段階ｂ（ｉ）および／またはｂ（ｉｉ）に応答して、試験的な範疇の診断を設定し、
ｄ．　患者のベースラインＰＲＡレベルを得た後、前記範疇の診断を確定する。
【０１６７】
［実施例２８］　臨床プロファイルが、ＣＢＣを得ることを含む実施例２７に記載の方法。
【０１６８】
［実施例２９］　臨床プロファイルが、血漿カテコールアミンプロファイルおよび電解質プロファイルを得ることを含む実施例２８に記載の方法。
【０１６９】
［実施例３０］　臨床プロファイルが、心電図（ＥＧＧ）および反響心拍計の結果を得ることを含む実施例２９に記載の方法。
【０１７０】
［実施例３１］　神経因子の量的機能を許容する薬の投与を含む実施例３０に記載の方法。
【０１７１】
［実施例３２］　薬が、フェントラミン、エスプロドール、ラベタロール、またはこれらの組合せからなる群から選ばれる実施例３１に記載の方法。
【０１７２】
［実施例３３］　抗レニン薬が、カプトロール、エンラプリレットまたはこれらの組合せからなる群から選ばれる実施例２７に記載の方法。
【０１７３】
［実施例３４］　抗ナトリウム量薬が、フロセミドである実施例２７に記載の方法。
【０１７４】
［実施例３５］　神経の因子が、褐色細胞種、コカイン濫用、クロニジン禁断症状からなる群から選ばれる実施例３１に記載の方法。
【０１７５】
［実施例３６］　特殊ではない血管拡張薬の投与を含む実施例２７に記載の方法。
【０１７６】
［実施例３７］　特殊ではない血管拡張薬が、ニカルジピン、ベラパミル、ニトロプルシド、ニトログリセリン、ヒドララジン、ダイアザオキサイド、またはこれらの結合からなる群から選ばれる実施例２７に記載の方法。
【０１７７】
［実施例３８］　次の段階からなり、出血状態が原因の高血圧症経験のある患者を処置および評価するための方法、
ａ．　以下を含むベースライン臨床プロファイルを得る、
（１）患者のベースラインＰＲＡレベルを決定するために、患者から血液を採る、
（２）出血状態の出現を暗示する少なくとも１つの診断テストを実行する、
ｂ．　ベータ遮断薬を投与し、
ｃ．　前記診断に関して、ＰＲＡ結果を得ることにより、出血状態の診断を確定する。
【０１７８】
［実施例３９］　出血状態が、脳解離、大動脈解離、および鋭い心筋梗塞からなる群から選ばれる実施例３８に記載の方法。
【０１７９】
［実施例４０］　次の段階からなり、高血圧症患者からのデータを解析する方法、
Ａ．　患者のベースライン血漿レニン活動度（ＰＲＡ）レベルを記録する、
Ｂ．　ＰＲＡレベルが０．６５以上であれば、
ｉ．　患者が低用量Ｒ薬を摂取した後、患者の血圧を記録する、
ｉｉ．　Ｂ（ｉ）の後、記録された血圧が、標準範囲に無いならば、患者が高用量Ｒ薬を摂取した後、患者の血圧を記録する、
ｉｉｉ．　Ｂ（ｉｉ）の後、記録された血圧が、標準範囲に無いならば、患者が、高用量Ｒ薬に加えて、低用量Ｖ薬を摂取した後、患者の血圧を記録する、
ｉｖ．　Ｂ（ｉｉｉ）の後、記録された血圧が、標準範囲に無いならば、患者が、高用量Ｒ薬に加えて、高用量Ｖ薬を摂取した後、患者の血圧を記録する、
ｖ．　Ｂ（ｉｖ）の後、記録された血圧が、標準範囲に無いならば、前記患者から第２のＰＲＡレベルを記録し、
ａ．　第２のＰＲＡレベルが、０．６５未満であれば、Ｒ薬に代えて、第２のＶ薬の後、患者の血圧を記録する、
ｂ．　第２のＰＲＡレベルが、０．６５以上、６．５未満であれば、患者が第２のＲ薬を摂取した後、患者の血圧を記録する、
ｃ．　第２のＰＲＡレベルが、６．５以上であれば、患者が、Ｖ薬に代えて、第２のＲ薬を摂取した後、患者の血圧を記録する、
Ｃ．　ＰＲＡレベルが０．６５未満であれば、
ｉ．　患者が低用量Ｖ薬を摂取した後、患者の血圧を記録する、
ｉｉ．　Ｃ（ｉ）の後、記録された血圧が、標準範囲に無いならば、患者が高用量Ｖ薬を摂取した後、患者の血圧を記録する、
ｉｉｉ．　Ｃ（ｉｉ）の後、記録された血圧が、標準範囲に無いならば、患者が、高用量Ｖ薬に加えて、低用量Ｒ薬を摂取した後、患者の血圧を記録する、
ｉｖ．　Ｃ（ｉｉｉ）の後、記録された血圧が、標準範囲に無いならば、患者が、高用量Ｖ薬に加えて、高用量Ｒ薬を摂取した後、患者の血圧を記録する、
ｖ．　Ｃ（ｉｖ）の後、記録された血圧が、標準範囲に無いならば、前記患者から第２のＰＲＡレベルを記録し、
ａ．　第２のＰＲＡレベルが、０．６５未満であれば、Ｒ薬に代えて、第２のＶ薬の後、患者の血圧を記録する、
ｂ．　第２のＰＲＡレベルが、０．６５以上、６．５未満であれば、患者が第２のＲ薬を摂取した後、患者の血圧を記録する、
ｃ．　第２のＰＲＡレベルが、６．５以上であれば、患者が、Ｖ薬に代えて、第２のＲ薬を摂取した後、患者の血圧を記録する、
ｄ．　指示がある場合に、段階Ａ、Ｂ、Ｃが実行された後、患者の血圧を記録し、既知の数値と比較する。
【０１８０】
［実施例４１］　次の段階からなり、血漿レニン活動度レベルが０．６５以上の高血圧症患者からのデータを解析する方法、
Ａ．　患者が低用量Ｒ薬を摂取した後、患者の血圧を記録する、
Ｂ．　Ａの後、記録された血圧が、標準範囲内に無いならば、患者が高用量Ｒ薬を摂取した後、患者の血圧を記録する、
Ｃ．　Ｂの後、記録された血圧が、標準範囲内に無いならば、患者が高用量Ｒ薬に加えて、低用量Ｖ薬を摂取した後、患者の血圧を記録する、
Ｄ．　Ｃの後、記録された血圧が、標準範囲内に無いならば、患者が高用量Ｒ薬に加えて、高用量Ｖ薬を摂取した後、患者の血圧を記録する、
Ｅ．　Ｄの後、記録された血圧が、標準範囲内に無いならば、患者からの第２のＰＲＡレベルを記録する、
ｉ．　第２のＰＲＡレベルが、０．６５未満であれば、Ｒ薬に代えて、第２のＶ薬の後、患者の血圧を記録する、
ｉｉ．　第２のＰＲＡレベルが、０．６５以上、６．５未満であれば、患者が第２のＲ薬を摂取した後、患者の血圧を記録する、
ｉｉｉ．　第２のＰＲＡレベルが、６．５以上であれば、患者が、Ｖ薬に代えて、第２のＲ薬を摂取した後、患者の血圧を記録する、
Ｆ．　指示がある場合に、段階Ａ、Ｂ、Ｃ、ＤおよびＥが実行された後、患者の血圧を記録し、既知の数値と比較する。
【０１８１】
［実施例４２］　次の段階からなり、血漿レニン活動度レベルが０．６５未満の高血圧症患者からのデータを解析する方法、
Ａ．　患者が低用量Ｖ薬を摂取した後、患者の血圧を記録する、
Ｂ．　Ａの後、記録された血圧が、標準範囲内に無いならば、患者が高用量Ｖ薬を摂取した後、患者の血圧を記録する、
Ｃ．　Ｂの後、記録された血圧が、標準範囲内に無いならば、患者が高用量Ｖ薬に加えて、低用量Ｒ薬を摂取した後、患者の血圧を記録する、
Ｄ．　Ｃの後、記録された血圧が、標準範囲内に無いならば、患者が高用量Ｖ薬に加えて、高用量Ｒ薬を摂取した後、患者の血圧を記録する、
Ｅ．　Ｄの後、記録された血圧が、標準範囲内に無いならば、患者からの第２のＰＲＡレベルを記録する、
ｉ．　第２のＰＲＡレベルが、０．６５未満であれば、Ｒ薬に代えて、第２のＶ薬の後、患者の血圧を記録する、
ｉｉ．　第２のＰＲＡレベルが、０．６５以上、６．５未満であれば、患者が第２のＲ薬を摂取した後、患者の血圧を記録する、
ｉｉｉ．　第２のＰＲＡレベルが、６．５以上であれば、患者が、Ｖ薬に代えて、第２のＲ薬を摂取した後、患者の血圧を記録する、
Ｆ．　指示がある場合に、段階Ａ、Ｂ、Ｃ、ＤおよびＥが実行された後、患者の血圧を記録し、既知の数値と比較する。
【０１８２】
［実施例４３］　次の段階からなり、患者のベースライン血漿レニン活動度レベルからのデータを解析する方法、
Ａ．　患者のベースライン血漿レニン活動度レベルを記録する、
Ｂ．　ＰＲＡレベルが０．６５未満であれば、低カリウム症のための試験結果を記録する、
ｉ．　低カリウム症のテスト結果が、低カリウム症に一致するならば、２４時間の尿アルドステロン試験の結果を記録する、
ａ．　尿アルドステロン試験が高ければ、副腎ＣＴスキャン、および副腎静脈血採取検査の結果を記録し、これらの結果がアルドステロン症に陽性であれば、片側副腎摘出の結果を記録し、そうでなければ、Ｂ（ｉｉ）へ進む、
ｂ．　尿アルデステロンが高くなければ、Ｂ（ｉｉ）へ進む、
ｉｉ．　低カリウム症のテスト結果が、低カリウム症と一致し無いか、Ｂ（ｉ）から患者が進んで、この段階に至れば、患者が低用量Ｖ薬を摂取した後、患者の血圧（ＢＰ）を記録する、
ｉｉｉ．　Ｂ（ｉｉ）の後、記録された血圧が、標準範囲内に無いならば、患者が高用量Ｖ薬を摂取した後、患者の血圧を記録する、
ｉｖ．　Ｂ（ｉｉｉ）の後、記録された血圧が、標準範囲内に無いならば、患者が高用量Ｖ薬に加えて、低用量Ｒ薬を摂取した後、患者の血圧を記録する、
ｖ．　Ｂ（ｉｖ）の後、記録された血圧が、標準範囲内に無いならば、患者が高用量Ｖ薬に加えて、高用量Ｒ薬を摂取した後、患者の血圧を記録する、
ｖｉ．　Ｂ（ｖ）の後、記録された血圧が、標準範囲に無いならば、前記患者から第２のＰＲＡレベルを記録し、
ａ．　第２のＰＲＡレベルが、０．６５未満であれば、患者が、Ｒ薬に代えて、第２のＶ薬を摂取した後、患者の血圧を記録する、
ｂ．　第２のＰＲＡレベルが、０．６５以上、６．５未満であれば、患者が第２のＲ薬を摂取した後、患者の血圧を記録する、
ｃ．　第２のＰＲＡレベルが、６．５以上であれば、患者が、Ｖ薬に代えて、第２のＲ薬を摂取した後、患者の血圧を記録する、
Ｃ．　ＰＲＡレベルが１．６以上であれば、カプトプリルテストの結果を記録する、
ｉ．　カプトリルテストの結果が陰性であれば、Ｄ（ｉ）に進む、それ以外では、腎臓静脈血採取の結果を記録する、
ｉｉ．　腎臓静脈血採取の結果が陰性であれば、Ｄ（ｉ）に進む、それ以外では、腎臓血管造影の結果を記録する、
ｉｉｉ．　腎臓血管造影の結果が陰性であれば、Ｄ（ｉ）に進む、それ以外では、腎臓血管形成術または外科的血行再建術の結果を記録する、
Ｄ．　ＰＲＡレベルが０．６５以上、１．６未満であれば、
ｉ．　患者が低用量Ｒ薬を摂取した後、患者のＢＰを記録する。
【０１８３】
ｉｉ．　Ｄ（ｉ）の後、記録されたＢＰが、標準範囲内に無いならば、患者が高用量Ｒ薬を摂取した後、患者のＢＰを記録する、
ｉｉｉ．　Ｄ（ｉｉ）の後、記録されたＢＰが、標準範囲内に無いならば、患者が高用量Ｒ薬に加えて、低用量Ｖ薬を摂取した後、患者の血圧を記録する、
ｉｖ．　Ｄ（ｉｉｉ）の後、記録されたＢＰが、標準範囲内に無いならば、患者が高用量Ｒ薬に加えて、高用量Ｖ薬を摂取した後、患者の血圧を記録する、
ｖ．　Ｄ（ｉｖ）の後、記録されたＢＰが、標準範囲内に無いならば、患者からの第２のＰＲＡレベルを記録する、
ａ．　第２のＰＲＡレベルが、０．６５未満であれば、Ｒ薬に代えて、第２のＶ薬を患者が摂取した後、患者の血圧を記録する、
ｂ．　第２のＰＲＡレベルが、０．６５以上、６．５未満であれば、患者が第２のＲ薬を摂取した後、患者の血圧を記録する、
ｃ．　第２のＰＲＡレベルが、６．５以上であれば、患者が、Ｖ薬に代えて、第２のＲ薬を摂取した後、患者の血圧を記録する、
Ｅ．　指示のある場合に、段階Ａ、Ｂ、ＣおよびＤが実行された後、患者のＢＰを記録し、既知の数値と比較する。
【０１８４】
［実施例４４］　次の段階からなり、Ｖ薬、Ｒ薬またはＶおよびＲ薬を一緒に摂取した後、ＢＰが標準範囲内に維持されている高血圧症患者からのデータを解析する方法、
Ａ．　患者のベースライン血漿レニン活動度（ＰＲＡ）を記録する、
Ｂ．　患者がＶ薬を摂取していて、ＰＲＡレベルが０．６５未満であれば、
ｉ．　Ｖ薬が低量であったのであれば、患者が、高用量Ｖ薬を摂取した後、患者のＢＰを記録し、その他では、Ｂ（ｉｉ）に進む、
ｉｉ．　Ｂ（ｉ）の後、記録されたＢＰが、標準範囲内に無いならば、患者が、Ｖ薬に加えて、低用量Ｒ薬を摂取した後、患者のＢＰを記録する、
ｉｉｉ．　Ｂ（ｉｉ）の後、記録されたＢＰが、標準範囲内に無いならば、患者が、Ｖ薬に加えて、高用量Ｒ薬を摂取した後、患者のＢＰを記録する、
ｉｖ．　Ｂ（ｉｉｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｃ．　患者がＲ薬を摂取していて、ＰＲＡレベルが０．６５未満であれば、
ｉ．　患者が、Ｒ薬に代えて、低用量Ｖ薬を摂取した後、患者のＢＰを記録する、
ｉｉ．　Ｃ（ｉ）の後、記録されたＢＰが、標準範囲内に無いならば、患者が、Ｖ薬に加えて、低用量Ｒ薬を摂取した後、患者のＢＰを記録する、
ｉｉｉ．　Ｃ（ｉｉ）の後、記録されたＢＰが、標準範囲内に無いならば、患者が、Ｖ薬に加えて、高用量Ｒ薬を摂取した後、患者のＢＰを記録する、
ｉｖ．　Ｃ（ｉｉｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｄ．　患者がＶ薬およびＲ薬を摂取していて、ＰＲＡレベルが０．６５未満であれば、
ｉ．　患者が、Ｒ薬に代えて、第２のＶ薬を摂取した後、患者のＢＰを記録する、
ｉｉ．　Ｄ（ｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、少なくとも１つのＶ薬を高用量で摂取した後、患者のＢＰを記録する、
ｂ．　第２のＰＲＡレベルが、０．６５以上、６．５未満であれば、患者が、Ｖ薬の１つに代えて、Ｒ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｅ．　患者がＶ薬を摂取していて、ＰＲＡレベルが０．６５以上、６．５未満であれば、
ｉ．　Ｖ薬が低量であったのであれば、患者が、高用量Ｖ薬を摂取した後、患者のＢＰを記録し、その他では、Ｅ（ｉｉ）に進む、
ｉｉ．　Ｅ（ｉ）の後、記録されたＢＰが、標準範囲内に無いならば、患者が、Ｖ薬に加えて、低用量Ｒ薬を摂取した後、患者のＢＰを記録する、
ｉｉｉ．　Ｅ（ｉｉ）の後、記録されたＢＰが、標準範囲内に無いならば、患者が、Ｖ薬に加えて、高用量Ｒ薬を摂取した後、患者のＢＰを記録する、
ｉｖ．　Ｅ（ｉｉｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｆ．　患者がＲ薬を摂取していて、ＰＲＡレベルが０．６５以上、６．５未満であれば、
ｉ．　Ｒ薬が低量であったのであれば、患者が、高用量Ｒ薬を摂取した後、患者のＢＰを記録し、その他では、Ｆ（ｉｉ）に進む、
ｉｉ．　Ｆ（ｉ）の後、記録されたＢＰが、標準範囲内に無いならば、患者が、高用量Ｒ薬に加えて、低用量Ｖ薬を摂取した後、患者のＢＰを記録する、
ｉｉｉ．　Ｅ（ｉｉ）の後、記録されたＢＰが、標準範囲内に無いならば、患者が、Ｖ薬に加えて、高用量Ｒ薬を摂取した後、患者のＢＰを記録する、
ｉｖ．　Ｆ（ｉｉｉ）の後、記録されたＢＰが、標準範囲内に無いならば、前記患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｇ．　患者がＶ薬およびＲ薬を摂取していて、ＰＲＡレベルが０．６５以上、６．５未満であれば、
ｉ．　患者が、高用量Ｒ薬を摂取した後、患者のＢＰを記録する、
ｉｉ．　Ｇ（ｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｈ．　患者がＶ薬を摂取していて、ＰＲＡレベルが６．５以上であれば、
ｉ．　患者が、低用量Ｒ薬を摂取した後、患者のＢＰを記録する、
ｉｉ．　Ｈ（ｉ）の後、記録されたＢＰが、標準範囲内に無いならば、患者が、高用量Ｒ薬に加えて、低用量Ｖ薬を摂取した後、患者のＢＰを記録する、
ｉｉｉ．　Ｈ（ｉｉ）の後、記録されたＢＰが、標準範囲内に無いならば、患者が、低用量Ｖ薬を摂取した後、患者のＢＰを記録する、
ｉｖ．　Ｈ（ｉｉｉ）の後、記録されたＢＰが、標準範囲内に無いならば、患者が、高用量Ｖ薬を摂取した後、患者のＢＰを記録する、
ｖ．　Ｈ（ｉｖ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｉ．　患者がＲ薬を摂取していて、ＰＲＡレベルが６．５以上であれば、
ｉ．　Ｒ薬が低量であったのであれば、患者が、高用量Ｒ薬を摂取した後、患者のＢＰを記録し、その他では、Ｉ（ｉｉ）に進む、
ｉｉ．　Ｉ（ｉ）の後、記録されたＢＰが、標準範囲内に無いならば、患者が、高用量Ｒ薬に加えて、Ｖ薬を摂取した後、患者のＢＰを記録する、
ｉｉｉ．　Ｉ（ｉｉ）の後、記録されたＢＰが、標準範囲内に無いならば、患者が、高用量Ｖ薬を摂取した後、患者のＢＰを記録する、
ｉｖ．　Ｉ（ｉｉｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｊ．　患者がＶ薬およびＲ薬を摂取していて、ＰＲＡレベルが６．５以上であれば、
ｉ．　患者が、Ｖ薬からＲ薬に切り替えた後、患者のＢＰを記録する、
ｉｉ．　Ｊ（ｉ）の後、記録されたＢＰが、標準範囲内に無いならば、患者からの第２のＰＲＡレベルを記録し、
ａ．　第２のＰＲＡレベルが、０．６５未満であれば、患者が、Ｒ薬に代えて、第２のＶ薬を摂取した後、患者のＢＰを記録する、
ｂ．　第２のＰＲＡレベルが、０．６５以上、６．５未満であれば、患者が、Ｖ薬に加えて、第２のＲ薬を摂取した後、患者のＢＰを記録する、
ｃ．　第２のＰＲＡレベルが、６．５以上であれば、患者が、Ｖ薬に代えて、第２のＲ薬を摂取した後、患者のＢＰを記録する、
Ｋ．　指示がある場合に、段階Ａ、Ｂ、Ｃ、Ｄ、Ｅ、Ｆ、Ｇ、Ｈ、ＩおよびＪが実行された後、患者のＢＰを記録し、既知の数値と比較する。
【０１８５】
［実施例４５］　高血圧症についてのデータを解析することに関するコンピュータプログラムであって、コンピュータが読取り可能なフォーマットを含み、該フォーマットは、患者の情報と経過を記録し、実施例４０から４４のいずれかの方法に合わせて解析を実行するために処理されることを特徴とするコンピュータプログラム。
【０１８６】
［実施例４６］　高血圧症についてのデータを解析することに関するインターネットウェブサイトであって、コンピュータが読取り可能な双方向フォーマットを含み、該双方向フォーマットは、患者の情報と経過を記録し、実施例４０から４４のいずれかの方法に合わせて解析を実行するために処理されることを特徴とするインターネットウェブサイト。
【０１８７】
［実施例４７］　次の段階からなり、約０．６５ｎｇ／ｍｌ／ｈｒ未満のＰＲＡを有する高血圧症患者からのデータの解析方法、
ａ．　患者が、低用量Ｖ薬を摂取した後、患者のＢＰを記録する；
ｂ．　段階（ａ）の後、記録されたＢＰが、標準範囲内に無いならば、患者が、増量したＶ薬を摂取した後、患者のＢＰを測定する；
ｃ．　段階（ｂ）の後、患者の記録されたＢＰが、標準範囲内に無いならば、患者が、Ｖ薬に加えて、Ｒ薬を摂取した後、患者のＢＰを記録する、
ｄ．　指示がある場合に、段階ａ、ｂおよびｃを実施した後、患者のＢＰを記録し、既知の値と比較する。
【０１８８】
［実施例４８］　段階（ｄ）の後、患者の記録されたＢＰが、標準範囲内に無いならば、患者が、Ｖ薬に加えて、用量が増加されたＲ薬を摂取した後、患者のＢＰを記録する実施例４７の方法。
【０１８９】
［実施例４９］　患者のＰＲＡレベルを記録して比較する実施例４８の方法。
【０１９０】
［実施例５０］　患者のＰＲＡが、約０．６５未満ならば、患者が、第２のＶ薬を摂取し、Ｒ薬の摂取を中止した後、患者のＢＰを記録し比較する実施例４９の方法。
【０１９１】
［実施例５１］　患者のＰＲＡが、約０．６５から約６．５の間ならば、患者が、第２のＲ薬を摂取した後、患者のＢＰを記録し比較する実施例４９の方法。
【０１９２】
［実施例５２］　ＰＲＡが、約６．５を超えたのであれば、患者が、第２のＲ薬を摂取し、Ｖ薬の摂取を中止した後、患者のＢＰを記録し比較する実施例４９の方法。
【０１９３】
［実施例５３］　次の段階からなり、約０．６５ｎｇ／ｍｌ／ｈｒ以上のＰＲＡを有する高血圧症患者からのデータの解析方法、
ａ．　患者が、低用量Ｒ薬を摂取した後、患者のＢＰを記録する；
ｂ．　段階（ａ）の後、記録されたＢＰが、標準範囲内に無いならば、患者が、増加した用量のＲ薬を摂取した後、患者のＢＰを測定する；
ｃ．　段階（ｂ）の後、患者の記録されたＢＰが、標準範囲内に無いならば、患者が、Ｒ薬に加えて、Ｖ薬を摂取した後、患者のＢＰを記録する、
ｄ．　指示がある場合に、段階ａ、ｂおよびｃを実施した後、患者のＢＰを記録し、既知の値と比較する。
【０１９４】
［実施例５４］　段階（ｄ）の後、患者の記録されたＢＰが、標準範囲内に無いならば、患者が、Ｒ薬に加えて、用量が増加されたＶ薬を摂取した後、患者のＢＰを記録する実施例５３の方法。
【０１９５】
［実施例５５］　患者のＰＲＡレベルを記録して比較する実施例５４の方法。
【０１９６】
［実施例５６］　患者のＰＲＡが、約０．６５未満ならば、患者が、第２のＶ薬を摂取し、Ｒ薬の摂取を中止した後、患者のＢＰを記録し比較する実施例５５の方法。
【０１９７】
［実施例５７］　患者のＰＲＡが、包括的に約０．６５から約６．５の間ならば、患者が、第２のＲ薬を摂取した後、患者のＢＰを記録し比較する実施例５５の方法。
【０１９８】
［実施例５８］　ＰＲＡが、約６．５を超えたのであれば、患者が、第２のＲ薬を摂取し、Ｖ薬の摂取を中止した後、患者のＢＰを記録し比較する実施例５５の方法。
【０１９９】
［実施例５９］　次の各段階からなり、中から高レベルの血漿レニン活動度（ＰＲＡ）を有する高血圧症患者からのデータを解析する方法、
Ａ．　患者が、低用量でＲ薬を摂取した後、患者の血圧（ＢＰ）を記録する、
Ｂ．　Ａの後、記録されたＢＰが、標準範囲内に無いならば、患者が、用量の増加したＲ薬を摂取した後、患者のＢＰを記録する、
Ｃ．　Ｂの後、記録されたＢＰが、標準範囲内に無いならば、患者が、Ｒ薬に加えて、低用量で、Ｖ薬を摂取した後、患者のＢＰを記録する、
Ｄ．　Ｃの後、記録されたＢＰが、標準範囲内に無いならば、患者が、用量の増加したＶ薬を摂取した後、患者のＢＰを記録する、
Ｅ．　Ｄの後、記録されたＢＰが、標準範囲内に無いならば、その後、患者のＰＲＡレベルを記録し；
ｉ．ＰＲＡが低レベルならば、患者が、Ｒ薬から第２のＶ薬に切替え；
ｉｉ．ＰＲＡが中レベルならば、患者が、第２のＲ薬を摂取し；
ｉｉｉ．ＰＲＡが高レベルならば、患者が、Ｖ薬から第２のＲ薬に切り替える。
【０２００】
Ｆ．　指示がある場合に、段階Ａ、Ｂ、Ｃ、ＤおよびＥが実施された後、患者の血圧を記録し、既知の値と比較する。
【０２０１】
［実施例６０］　次の各段階からなり、低レベルの血漿レニン活動度（ＰＲＡ）を有する高血圧症患者からのデータを解析する方法、
Ａ．　患者が、低用量でＶ薬を摂取した後、患者の血圧（ＢＰ）を記録する、
Ｂ．　Ａの後、記録されたＢＰが、標準範囲内に無いならば、患者が、用量の増加したＶ薬を摂取した後、患者のＢＰを記録する、
Ｃ．　Ｂの後、記録されたＢＰが、標準範囲内に無いならば、患者が、Ｖ薬に加えて、低用量で、Ｖ薬を摂取した後、患者のＢＰを記録する、
Ｄ．　Ｃの後、記録されたＢＰが、標準範囲内に無いならば、患者が、用量の増加したＲ薬を摂取した後、患者のＢＰを記録する、
Ｅ．　Ｄの後、記録されたＢＰが、標準範囲内に無いならば、その後、患者のＰＲＡレベルを記録し；
ｉ．ＰＲＡが低レベルならば、患者が、Ｒ薬から第２のＶ薬に切替え；
ｉｉ．ＰＲＡが中レベルならば、患者が、第２のＲ薬を摂取し；
ｉｉｉ．ＰＲＡが高レベルならば、患者が、Ｖ薬から第２のＲ薬に切り替える。
【０２０２】
［実施例６１］　患者の血漿レニン活動度が、シーレイララテスト（Ｓｅａｌｅｙ　ａｎｄ　Ｌａｒａｇｈ　ｔｅｓｔ）により測定されることを特徴とする実施例４０から４４のいずれかによる高血圧症患者からのデータの解析方法。
【０２０３】
［実施例６２］　次の各段階からなり、高血圧症を経験した患者からのデータを解析する方法、
ａ．　（ｉ）患者が、少なくとも１つの抗レニン薬を摂取した後、患者の血圧（ＢＰ）を記録し、（ａ）（ｉ）の後、患者のＢＰが、標準範囲内に無いならば、
（ｉｉ）患者が、少なくとも１つの抗ナトリウム量薬を摂取した後、患者のＢＰを記録し、
ｂ．　段階ａ（ｉ）および／またはａ（ｉｉ）の応答に基づいた解析の試験的な結果を確定する。
【０２０４】
［実施例６３］　段階ｂの後、臨床プロファイルでの患者のベースライン血漿レニン活動度（ＰＲＡ）を記録する実施例６２の方法。
【０２０５】
［実施例６４］　患者のベースラインＰＲＡレベルを解析した試験的な結果と結合する既知のベースラインＰＲＡレベルを比較することを含む実施例６３の方法。
【０２０６】
［実施例６５］　臨床プロファイルが、患者のＣＢＣを含み、既知の値と記録されたすべてのデータとを比較する実施例６３の方法。
【０２０７】
［実施例６６］　臨床プロファイルが、患者の血漿カテコールアミンプロファイルおよび電解質プロファイルを含み、既知の値と記録されたデータとを比較する実施例６５の方法。
【０２０８】
［実施例６７］　臨床プロファイルが、患者のＥＧＧと反響心拍計を比較し、既知の値と記録されたすべてのデータとを比較する実施例６６の方法。
【０２０９】
［実施例６８］　患者が、神経機能の定量を許容する薬を摂取した後、神経因子を定量するデータを記録し、既知の値と記録されたデータとを比較する実施例６４の方法。
【０２１０】
［実施例６９］　薬が、フェントラミン、エスプロドールおよびラベタロール、またはそれらの組合せからなる群から選ばれ、既知の値と記録されたデータとを比較する実施例６８の方法。
【０２１１】
［実施例７０］　抗レニン薬が、カプトロールおよびエンラプリレット、またはそれらの組合せである実施例６２の方法。
【０２１２】
［実施例７１］　抗ナトリウム量薬が、フロセミドである実施例６２の方法。
【０２１３】
［実施例７２］　神経因子が、褐色細胞種、コカイン濫用およびクロニジン禁断症状からなる群から選ばれる実施例６８に記載の方法。
【０２１４】
［実施例７３］　患者が、特殊ではない血管拡張薬を摂取した後、患者のＢＰを記録することを含む実施例６４に記載の方法。
【０２１５】
［実施例７４］　特殊ではない血管拡張薬が、ニカルジピン、ベラパミル、ニトロプルシド、ニトログリセリン、ヒドララジン、ダイアザオキサイド、またはこれらの組合せからなる群から選ばれる実施例７３に記載の方法。
【０２１６】
［実施例７５］　次の各段階からなり、出血段階の高血圧症を経験した患者からのデータを解析する方法、
ａ．　臨床プロファイルを、記録する；
（１）患者のベースラインＰＲＡレベル、
（２）出血段階を呈する少なくとも１つのテストの結果、
ｂ．　患者が、ベータ遮断薬を摂取した後、患者のＢＰを記録する、
ｃ．　他の患者からの既知のベースラインＰＲＡレベルと、患者のベースラインＰＲＡレベルの出血段階とを比較する。
【０２１７】
［実施例７６］　出血段階が脳解離、大動脈解離、および鋭い心筋梗塞からなる群から選ばれる実施例７３に記載の方法。
【図面の簡単な説明】
【図１】レニン−アンギオテンシン−アルドステロン系を示す。
【図２】Ｌａｒａｇｈ Ｍｅｔｈｏｄでナトリウム量を抑える薬剤と定義される薬剤の、未治療の高血圧患者の血圧及び血漿レニン活性に対する典型的な作用を示す。
【図３】Ｌａｒａｇｈ Ｍｅｔｈｏｄでレニンを抑える薬剤と定義される薬剤の、未治療の高血圧患者の血圧及び血漿レニン活性に対する典型的な作用を示す。
【図４】未治療の高血圧患者の評価及び治療にＬａｒａｇｈ Ｍｅｔｈｏｄを用いた場合の典型的な実施例を表したフローチャートである。
【図５】治療が奏効しなかった高血圧患者の評価及び治療にＬａｒａｇｈ Ｍｅｔｈｏｄを用いた場合の別の典型的な実施例を表したフローチャートである。
【図６】ナトリウム量を抑える薬剤を投与しても効果が認められなかった患者に対して、Ｌａｒａｇｈ Ｍｅｔｈｏｄが示唆する治療法の変更を、患者の血漿レニン値に基づいて示す。
【図７】レニンを抑える薬剤を投与しても効果が認められなかった患者に対して、Ｌａｒａｇｈ Ｍｅｔｈｏｄが示唆する治療法の変更を、患者の血漿レニン値に基づいて示す。
【図８】過剰な血中アンギオテンシン値による心血管疾患のリスクを低減するため、薬剤を選択する場合の血漿レニン値の使用を示す。
【図１】
2004508546.tif 000013
【図２】
2004508546.tif 000014
【図３】
2004508546.tif 000015
【図４】
2004508546.tif 000016
【図５】
2004508546.tif 000017
【図６】
2004508546.tif 000018
【図７】
2004508546.tif 000019
【図８】
2004508546.tif 000020
【国際公開パンフレット】
2004508546.tif 000021
2004508546.tif 000022
2004508546.tif 000023
2004508546.tif 000024
2004508546.tif 000025
2004508546.tif 000026
2004508546.tif 000027
2004508546.tif 000028
2004508546.tif 000029
2004508546.tif 000030
2004508546.tif 000031
2004508546.tif 000032
2004508546.tif 000033
2004508546.tif 000034
2004508546.tif 000035
2004508546.tif 000036
2004508546.tif 000037
2004508546.tif 000038
2004508546.tif 000039
2004508546.tif 000040
2004508546.tif 000041
2004508546.tif 000042
2004508546.tif 000043
2004508546.tif 000044
2004508546.tif 000045
2004508546.tif 000046
2004508546.tif 000047
2004508546.tif 000048
2004508546.tif 000049
2004508546.tif 000050
2004508546.tif 000051
2004508546.tif 000052
2004508546.tif 000053
2004508546.tif 000054
2004508546.tif 000055
2004508546.tif 000056
2004508546.tif 000057
2004508546.tif 000058
2004508546.tif 000059
2004508546.tif 000060
2004508546.tif 000061
2004508546.tif 000062
2004508546.tif 000063
2004508546.tif 000064
2004508546.tif 000065
2004508546.tif 000066
2004508546.tif 000067
2004508546.tif 000068
2004508546.tif 000069
2004508546.tif 000070
2004508546.tif 000071
2004508546.tif 000072
2004508546.tif 000073
2004508546.tif 000074
2004508546.tif 000075
2004508546.tif 000076
2004508546.tif 000077
2004508546.tif 000078
2004508546.tif 000079
2004508546.tif 000080
2004508546.tif 000081
2004508546.tif 000082
2004508546.tif 000083
2004508546.tif 000084
2004508546.tif 000085
2004508546.tif 000086
2004508546.tif 000087
2004508546.tif 000088
2004508546.tif 000089
2004508546.tif 000090
2004508546.tif 000091
2004508546.tif 000092
2004508546.tif 000093
2004508546.tif 000094
2004508546.tif 000095
2004508546.tif 000096
2004508546.tif 000097
2004508546.tif 000098
2004508546.tif 000099
2004508546.tif 000100
2004508546.tif 000101
2004508546.tif 000102
2004508546.tif 000103
2004508546.tif 000104
2004508546.tif 000105
2004508546.tif 000106
2004508546.tif 000107
2004508546.tif 000108
2004508546.tif 000109
2004508546.tif 000110
2004508546.tif 000111
2004508546.tif 000112
2004508546.tif 000113
2004508546.tif 000114
2004508546.tif 000115
2004508546.tif 000116
2004508546.tif 000117
2004508546.tif 000118
2004508546.tif 000119
2004508546.tif 000120
2004508546.tif 000121
2004508546.tif 000122
2004508546.tif 000123
【国際公開パンフレット（コレクトバージョン）】
2004508546.tif 000124
【国際調査報告】
2004508546.tif 000125